(57)【要約】  ポリペプチドの未変性状態を安定化する方法であって、前記ポリペプチドの未変性状態において機能部位と少なくとも部分的にオーバーラップする部位で前記ポリペプチドに結合する能力を有する安定化分子に、前記ポリペプチドをばく露するステップを含む方法を開示する。
2005510460.tif 000002
【特許請求の範囲】
【請求項１】
ポリペプチドの未変性状態を安定化する方法であって、該ポリペプチドの未変性状態において機能部位と少なくとも部分的にオーバーラップする部位で該ポリペプチドに結合する能力を有する安定化分子に、該ポリペプチドをばく露するステップを含む方法。
【請求項２】
前記ポリペプチドが未変性状態および変性状態で存在するように前記ポリペプチドは可逆的に変性し、前記安定化分子は変性状態の前記ポリペプチドには結合しない請求項１に記載の方法。
【請求項３】
系において可逆的に変性するポリペプチドの未変性状態の濃度を増加させる方法であって、該系は、第一の未変性状態および第二の変性状態の該ポリペプチドを含み、該方法は、
（ａ）該第一の未変性状態において機能部位と少なくとも部分的にオーバーラップする部位で該ポリペプチドに結合し、これにより該ポリペプチドの第一の未変性状態を安定化する安定化分子を供するステップと、
（ｂ）該安定化分子を該ポリペプチドに結合させるステップと
を含む方法。
【請求項４】
ポリペプチド中に突然変異を有する生物の野生型表現型を回復させる方法であって、該突然変異は、該ポリペプチドの変性および突然変異体表現型をもたらし、該方法は、機能部位と少なくとも部分的にオーバーラップする部位で未変性状態の該ポリペプチドに結合し、これにより該ポリペプチドの未変性状態を安定化する安定化分子に、該生物または該生物の一部をばく露するステップを含む方法。
【請求項５】
患者の疾患を処置する方法であって、該疾患は、ポリペプチドの変性をもたらす該ポリペプチド中の突然変異によって起こるか、またはそのような突然変異に関係し、該方法は、該ポリペプチドの未変性状態において機能部位と少なくとも部分的にオーバーラップする部位で該ポリペプチドに結合し、これにより該ポリペプチドの未変性状態を安定化する安定化分子を、該患者に投与するステップを含む方法。
【請求項６】
前記安定化分子が、前記ポリペプチドの天然の結合パートナーではない請求項１〜５のいずれかに記載の方法。
【請求項７】
前記安定化分子が、前記ポリペプチドの天然の結合パートナーの断片からなる請求項１〜６のいずれかに記載の方法。
【請求項８】
前記安定化分子が、前記ポリペプチドの天然の結合パートナーのポリペプチド結合ドメイン、好ましくは結合ループを含むように操作されたポリペプチドである請求項１〜７のいずれかに記載の方法。
【請求項９】
前記安定化分子が、前記ポリペプチドの天然の結合パートナーの存在下で、前記ポリペプチドまたは前記系にばく露される請求項１〜８のいずれかに記載の方法。
【請求項１０】
前記安定化分子と前記ポリペプチドまたは前記部位との間の結合親和性が、前記ポリペプチドの天然の結合パートナーと前記ポリペプチドまたは前記結合部位との親和性よりも低い請求項１〜９のいずれかに記載の方法。
【請求項１１】
前記ポリペプチドと天然の結合パートナーとの間の結合を可能にするように、前記安定化分子と前記結合部位との間の結合が前記ポリペプチドを安定化する請求項１〜１０のいずれかに記載の方法。
【請求項１２】
前記ポリペプチドと前記天然の結合パートナーとの間の結合が、前記ポリペプチドの未変性状態を安定化する請求項１〜１１のいずれかに記載の方法。
【請求項１３】
ポリペプチドと該ポリペプチドの天然の結合パートナーとの間の結合を補助する方法であって、請求項１〜１２のいずれかに記載の方法によって前記ポリペプチドの未変性状態を安定化するステップと、前記安定化されたポリペプチドを前記天然の結合パートナーにばく露するステップとを含む方法。
【請求項１４】
ポリペプチドと第一の分子との間の結合を補助する方法であって、該ポリペプチドは未変性状態および変性状態で存在し、該方法は、
（ａ）該ポリペプチドの未変性状態において機能部位と少なくとも部分的にオーバーラップする部位に結合する能力を有する第二の安定化分子を供するステップと、
（ｂ）該第二の安定化分子を該ポリペプチドに結合させて複合体を形成させ、これにより該ポリペプチドの未変性状態を安定化するステップと、
（ｃ）該ポリペプチドと、結合した第二の安定化分子との複合体を、該第一の分子にばく露するステップと、
（ｄ）該第一の分子を該ポリペプチドに結合させ、これにより該第二の安定化分子を置き換えるステップと
を含む方法。
【請求項１５】
前記機能部位が、構造ドメイン、タンパク質結合ドメイン、核酸結合ドメイン、または酵素の活性部位を含むか、またはそれらと少なくとも部分的にオーバーラップする請求項１〜１４のいずれかに記載の方法。
【請求項１６】
前記機能部位が、前記ポリペプチドの構造もしくは活性またはその両者にとって不可欠である請求項１５に記載の方法。
【請求項１７】
前記ポリペプチドが、腫瘍原性タンパク質または腫瘍抑制タンパク質を含む請求項１〜１６のいずれかに記載の方法。
【請求項１８】
前記ポリペプチドが、ｐ５３である請求項１〜１７のいずれかに記載の方法。
【請求項１９】
前記ポリペプチドが、突然変異、好ましくはＲ１７５Ｈ、Ｇ２４５Ｓ、Ｒ２４８Ｑ、Ｒ２４９Ｓ、Ｒ２７３Ｈ、Ｒ２８２ＷおよびＩ１９５Ｔを含むｐ５３であり、該突然変異が、前記ポリペプチドの可逆的変性をもたらす請求項１〜１８のいずれかに記載の方法。
【請求項２０】
前記安定化分子が、ＲＥＤＥＤＥＩＥＷという配列を有するＣＤＢ３ポリペプチドを含む請求項１〜１９のいずれかに記載の方法。
【請求項２１】
ポリペプチドの未変性状態に結合してそれを安定化するが、該ポリペプチドの変性状態に結合してそれを安定化することはない安定化分子であって、該ポリペプチドの機能部位と少なくとも部分的にオーバーラップする部位に結合し、該ポリペプチドの天然の結合パートナーからは構成されない安定化分子。
【請求項２２】
前記ポリペプチドが、ｐ５３である請求項２１に記載の安定化分子。
【請求項２３】
前記ポリペプチドが、突然変異、好ましくはＲ１７５Ｈ、Ｇ２４５Ｓ、Ｒ２４８Ｑ、Ｒ２４９Ｓ、Ｒ２７３Ｈ、Ｒ２８２ＷおよびＩ１９５Ｔを含むｐ５３であり、該突然変異が前記ポリペプチドの可逆的変性をもたらす請求項２１または２２に記載の安定化分子。
【請求項２４】
前記安定化分子が、ＲＥＤＥＤＥＩＥＷという配列を有するＣＤＢ３ポリペプチドを含む請求項２１、２２または２３に記載の安定化分子。
【請求項２５】
ポリペプチドを安定化する能力を有する安定化分子を同定する方法であって、該ポリペプチドは未変性状態および変性状態で存在するように可逆的に変性することができ、該方法は、
（ａ）機能部位を含む該ポリペプチドの未変性状態を供するステップと、
（ｂ）該ポリペプチドを候補安定化分子にばく露するステップと、
（ｃ）該ポリペプチドの未変性状態の機能部位と少なくとも部分的にオーバーラップする部位に結合する該候補安定化分子を選択するステップと、
（ｄ）該結合が該ポリペプチドの未変性状態を安定化するかどうかを決定するステップと
を含む方法。
【請求項２６】
ポリペプチドを安定化する能力を有する安定化分子を同定する方法であって、該ポリペプチドは未変性状態および変性状態で存在するように可逆的に変性することができ、該方法は、
（ａ）該ポリペプチドの機能部位を同定して、該機能部位を含むポリペプチド断片を供するステップと、
（ｂ）該ポリペプチド断片に、該機能部位と少なくとも部分的にオーバーラップする部位で結合する候補安定化分子を選択するステップと、
（ｃ）該選択された候補安定化分子がポリペプチドの未変性状態を安定化するかどうかを決定するステップと
を含む方法。
【請求項２７】
前記機能部位を含む前記ポリペプチド断片が、前記ポリペプチドの天然の結合パートナーへの結合部位を含む請求項２６に記載の方法。
【請求項２８】
ポリペプチドを安定化する能力を有する安定化分子であって請求項２５、２６または２７に記載の方法によって同定される安定化分子。
【請求項２９】
前記安定化分子が、有機小分子もしくは無機小分子、天然のもしくは誘導体化された炭水化物、タンパク質、ポリペプチド、ペプチド、糖タンパク質、核酸、ＤＮＡ、ＲＮＡ、オリゴヌクレオチドまたはタンパク質−核酸（ＰＮＡ）を含んでなる請求項１〜２０および２５〜２７のいずれかに記載の方法または請求項２１〜２４もしくは２８のいずれかに記載の安定化分子。
【請求項３０】
糖、ホスフェート、アミン、アミド、サルフェート、スルフィド、ビオチン、蛍光団または発色団で誘導体化された請求項２９に記載の方法または安定化分子。
【請求項３１】
前記安定化分子が、蛍光団、好ましくはフルオレセインにより誘導体化された請求項２９または３０に記載の方法または安定化分子。
【請求項３２】
前記安定化分子の前記ポリペプチドへの結合が、ＮＭＲ分光法、好ましくは異種核ＮＭＲ分光法、蛍光異方性、表面プラズモン共鳴、または示差走査熱量測定（ＤＳＣ）を使って検出される請求項１〜３１のいずれかに記載の方法または安定化分子。
【請求項３３】
疾患の処置に使用するための請求項２１〜２４または２８のいずれかに記載の安定化分子。
【請求項３４】
請求項２１〜２４または２８のいずれかに記載の安定化分子と、医薬的に許容できる担体、希釈剤または賦形剤とを含む医薬組成物。
【請求項３５】
疾患を処置するための医薬品の製造における請求項２１〜２４または２８のいずれかに記載の安定化分子の使用。
【請求項３６】
疾患の処置における請求項２１〜２４または２８のいずれかに記載の安定化分子の使用。
【請求項３７】
疾患が癌である、請求項５に記載の方法、請求項３３に記載の用途のための請求項３３に記載の安定化分子または請求項３５もしくは３６に記載の使用。
【請求項３８】
１つまたは複数の細胞におけるアポトーシスの発生または進行を誘導する方法であって、該１つまたは複数の細胞を安定化分子で処置するステップを含む方法。
【請求項３９】
１つまたは複数の細胞を安定化分子で処置するステップを含む、前記１つまたは複数の細胞におけるアポトーシスの発生または進行を誘導するための医薬品の調製における安定化分子の使用処置。
【請求項４０】
前記安定化分子が、ＣＤＢ３ペプチドである請求項３８に記載の方法または請求項３９に記載の使用。
【発明の詳細な説明】
【技術分野】
【０００１】
本発明は、ポリペプチドに関し、具体的にはポリペプチドの未変性コンフォメーションを安定化する能力を有する分子に関する。
【背景技術】
【０００２】
三次構造の維持はタンパク質の活性にとって極めて重要である。例えば、タンパク質のコンフォメーションは、他の分子と結合するその能力またはその酵素活性に、不可欠な役割を果たしている。タンパク質のコンフォメーションが、例えば変性などによって乱されると、失活が起こりうる。
【０００３】
腫瘍抑制遺伝子ｐ５３は細胞を癌から守るうえで、重要な役割を果たしている。これは転写因子であって、正常細胞には低レベルで存在し、ＤＮＡ損傷に応答して、または正常な細胞成長にとって危険があるような他の条件に応答して誘導される(Huppら、2000;SigalおよびRotter、2000に総説がある)。ｐ５３は、その細胞内レベルの増加に続いて、いくつかの遺伝子を活性化し、遺伝子に障害を有する細胞の増殖を妨げる細胞プロセスを引き起こす。これは細胞周期停止を媒介することによって、またはアポトーシスによって達成される。
【０００４】
ヒト癌は、その５０％以上が、ｐ５３をコードする遺伝子に、その不活化をもたらすミスセンス突然変異を有している(HainautおよびHollstein、2000)。そのような突然変異は、ほぼすべてが、ＤＮＡ結合コアドメイン内にある(HainautおよびHollstein、2000)。最もよく見られる６つの癌関連突然変異は、「ホットスポット」と呼ばれるＲ１７５Ｈ、Ｇ２４５Ｓ、Ｒ２４８Ｑ、Ｒ２４９Ｓ、Ｒ２７３ＨおよびＲ２８２Ｗである。これらの突然変異は、ｐ５３コアドメインの結晶構造(Choら、1994)に基づいて、２つのカテゴリー、すなわち（１）ＤＮＡ結合残基の喪失をもたらすＤＮＡ接触突然変異(DNA-contact mutation)（Ｒ２４８およびＲ２７３）と、（２）ｐ５３コアドメインの構造変化（これは局所的な歪みから完全なアンフォールディングまでさまざま形をとりうる）をもたらす「構造突然変異」とに、分類することができる。突然変異体の熱力学的安定性およびＤＮＡ結合特性に基づく突然変異データベースの新たな評価(Bullockら、2000)によれば、大きくわけて３つの表現型、すなわち（ｉ）フォールディング／安定性にはほとんど影響を及ぼさないＤＮＡ接触突然変異（例えばＲ２７３Ｈ）、（ii）局所的な歪みを、主にＤＮＡ結合部位の近傍に引き起こす突然変異（例えばＲ２４９Ｓ、これによる不安定化は通常、２ｋｃａｌ／ｍｏｌ未満である）、および（iii）３ｋｃａｌ／ｍｏｌを超える不安定化（例えばＩ１９５Ｔ）をもたらす全体的アンフォールディングを引き起こす突然変異（例えばコアドメインβサンドイッチ内の突然変異）に分類される。
【０００５】
ｐ５３のＣ末端調節ドメインに由来する短いペプチドによる突然変異体コアドメインの活性化(Abarzuaら、1996;Huppら、1995;Selivanovaら、1997;Selivanovaら、1999)が、ｐ５３を安定化する手段として提案されている。これらのペプチドは、コアドメインを安定化するのではなく、コアドメイン活性を特異的に調節することによって作用する。したがって、このような先行技術ポリペプチドは本願発明とは無関係である。
【０００６】
癌を治療するためにｐ５３突然変異体および腫瘍抑制タンパク質の他の突然変異体をレスキューして腫瘍抑制活性を回復する手段を提供することは、当分野における課題である。腫瘍遺伝子中の突然変異は腫瘍活性を引き起こすことも知られている。そのような腫瘍原性突然変異をレスキューする手段を提供することも、当分野における課題である。
【発明の開示】
【０００７】
本発明者らは、腫瘍抑制タンパク質および腫瘍遺伝子タンパク質の突然変異体の種類が異なると、異なるレスキュー戦略が必要であることを、初めて認識した。例えば、腫瘍抑制タンパク質のＤＮＡ接触突然変異体をレスキューするには、ＤＮＡとの新たな接触を確立して欠けている接触を補う官能基を、導入する必要がある。我々は、全体的にアンフォールドした突然変異体または局所的に歪んだ突然変異体のレスキューを、当該突然変異体のリフォールディングをもたらし、それが結果として野生型ｐ５３活性の回復をもたらすような安定化によって、達成しうることを発見した。
【０００８】
突然変異型ｐ５３のレスキューはＣＰ−３１３９８などの小分子によって達成できると報告されている。ＣＰ−３１３９８は、活性なコンフォメーションをとっている新たに合成されたｐ５３だけを安定化し、それがこの画分の時間依存的な蓄積を可能にするとされている(Fosterら、Science,vol 286,1999,2507-2510)。しかし、我々も他のグループも、実際にはＣＰ−３１３９８がｐ５３の活性なコンフォメーションを安定化するようには働かないことを、見いだしていない。
【０００９】
したがって我々は、タンパク質の未変性コンフォメーションを、当該未変性コンフォメーションを安定化するような形で結合する能力を有する分子を、初めて提供するものである。我々はそのような分子を「安定化分子」と呼ぶ。未変性コンフォメーションを安定化することにより、ポリペプチドのアンフォールドした、変性した、そして／または不活性なコンフォメーションと、適切にフォールドした、未変性の、そして活性な形態との平衡を、後者の側にシフトさせることが可能になる。その結果、未変性タンパク質の蓄積が起こる。本発明の安定化分子は、好ましくは、変性／不活性型のペプチドに結合せず、そのため、活性なコンフォメーションを選択的に安定化する。
【００１０】
したがって、第一の態様として、本発明は、ポリペプチドの未変性状態(native state)を安定化する方法であって、該方法は、該ポリペプチドの未変性状態において機能部位と少なくとも部分的にオーバーラップする部位で該ポリペプチドに結合する能力を有する安定化分子に、該ポリペプチドをばく露(expose)するステップを含む方法を提供する。
【００１１】
本発明の上記の態様によれば、好ましくは、前記ポリペプチドは、未変性状態で存在するように可逆的に変性され、前記安定化分子は変性状態の前記ポリペプチドには結合しない。
【００１２】
本発明のさらなる態様によれば、系において可逆的に変性するポリペプチドの未変性状態の濃度を増加させる方法であって、該系は、第一の未変性状態および第二の変性状態の該ポリペプチドを含み、該方法は、（ａ）該第一の未変性状態において機能部位と少なくとも部分的にオーバーラップする部位で該ポリペプチドに結合し、これにより該ポリペプチドの第一の未変性状態を安定化する安定化分子を供するステップと、（ｂ）該安定化分子を該ポリペプチドに結合させるステップとを含む方法が提供される。
【００１３】
本発明のさらなる態様によれば、ポリペプチド中に突然変異を含む生物の野生型表現型を回復する方法であって、該突然変異は、該ポリペプチドの変性および突然変異体表現型をもたらし、該方法は、機能部位と少なくとも部分的にオーバーラップする部位で未変性状態の該ポリペプチドに結合し、これにより該ポリペプチドの未変性状態を安定化する安定化分子に、該生物または該生物の一部をばく露するステップを含む方法が提供される。
【００１４】
本発明のさらにもう一つの態様として、患者の疾患を処置する方法であって、該疾患は、ポリペプチドの変性をもたらす該ポリペプチド中の突然変異によって起こるか、またはそのような突然変異に関係し、該方法は、該ポリペプチドの未変性状態において機能部位と少なくとも部分的にオーバーラップする部位で該ポリペプチドに結合し、これにより該ポリペプチドの未変性状態を安定化する安定化分子を、該患者に投与するステップを含む方法も提供される。
【００１５】
好ましい実施形態では、安定化分子は、前記ポリペプチドの天然の結合パートナーではない。好ましくは、安定化分子は、前記ポリペプチドの天然の結合パートナーの断片からなる。より好ましくは、安定化分子は、前記ポリペプチドの天然の結合パートナーのポリペプチド結合ドメイン（好ましくは結合ループ）を含むように操作されたポリペプチドである。
【００１６】
安定化分子は、ポリペプチドまたは系に、ポリペプチドの天然の結合パートナーの存在下でばく露することができる。好ましくは、安定化分子とポリペプチドまたは結合部位との間の結合親和性は、ポリペプチドの天然の結合パートナーとポリペプチドまたは結合部位との親和性よりも低い。より好ましくは、ポリペプチドと天然の結合パートナーとの間の結合を可能にするように、安定化分子と結合部位との間の結合はポリペプチドを安定化する。最も好ましくは、ポリペプチドと天然の結合パートナーとの間の結合は、ポリペプチドの未変性状態を安定化する。
【００１７】
本発明のさらにもう一つの態様によれば、ポリペプチドと該ポリペプチドの天然の結合パートナーとの間の結合を補助する方法であって、本明細書に記載する方法によって前記ポリペプチドの未変性状態を安定化するステップと、前記安定化されたポリペプチドを前記天然の結合パートナーにばく露するステップとを含む方法が提供される。
【００１８】
本発明は、さらにもう一つの態様として、ポリペプチドと第一の分子との間の結合を補助する方法であって、該ポリペプチドは未変性状態および変性状態で存在し、該方法は、（ａ）該ポリペプチドの未変性状態において機能部位と少なくとも部分的にオーバーラップする部位に結合する能力を有する第二の安定化分子を供するステップと、（ｂ）該第二の安定化分子を該ポリペプチドに結合させて複合体を形成させ、これにより該ポリペプチドの未変性状態を安定化するステップと、（ｃ）該ポリペプチドと、結合した第二の安定化分子との複合体を、該第一の分子にばく露するステップと、（ｄ）該第一の分子を該ポリペプチドに結合させ、これにより該第二の安定化分子を置き換えるステップとを含む方法を提供する。
【００１９】
機能部位は、好ましくは、構造ドメイン、タンパク質結合ドメイン、核酸結合ドメイン、もしくは酵素の活性部位を含むか、またはそれらと少なくとも部分的にオーバーラップする。より好ましくは、機能部位は、ポリペプチドの構造もしくは活性またはその両者にとって不可欠である。
【００２０】
本発明の極めて好ましい実施形態では、前記ポリペプチドは、腫瘍原性タンパク質(oncogenic protein)または腫瘍抑制タンパク質を含む。好ましくは、前記ポリペプチドはｐ５３である。より好ましくは、前記ポリペプチドは、突然変異（好ましくはＲ１７５Ｈ、Ｇ２４５Ｓ、Ｒ２４８Ｑ、Ｒ２４９Ｓ、Ｒ２７３Ｈ、Ｒ２８２ＷおよびＩ１９５Ｔ）を含むｐ５３であり、該突然変異は前記ポリペプチドの可逆的変性をもたらす。
【００２１】
安定化分子は、ＲＥＤＥＤＥＩＥＷという配列を有するＣＤＢ３ポリペプチドを含みうる。好ましくは、このペプチドはそのＮ末端をフルオレセインで標識しうる。そのようなペプチドはＦｌ−ＣＤＢ３と呼ばれ、Ｆｌ−ＲＥＤＥＤＥＩＥＷという配列を有する。
【００２２】
本発明のさらにもう一つの態様として、ポリペプチドの未変性状態に結合してそれを安定化するが、該ポリペプチドの変性状態に結合してそれを安定化することはない安定化分子であって、該ポリペプチドの機能部位と少なくとも部分的にオーバーラップする部位に結合し、該ポリペプチドの天然の結合パートナーからは構成されない安定化分子が提供される。
【００２３】
好ましくは、前記ポリペプチドはｐ５３である。より好ましくは、前記ポリペプチドは、突然変異（好ましくはＲ１７５Ｈ、Ｇ２４５Ｓ、Ｒ２４８Ｑ、Ｒ２４９Ｓ、Ｒ２７３Ｈ、Ｒ２８２ＷおよびＩ１９５Ｔ）を含むｐ５３であって、該突然変異は前記ポリペプチドの可逆的変性をもたらす。最も好ましくは、安定化分子は、ＲＥＤＥＤＥＩＥＷという配列を有するＣＤＢ３ポリペプチドを含む。
【００２４】
本発明のさらにもう一つの態様によれば、我々は、ポリペプチドを安定化する能力を有する安定化分子を同定する方法であって、該ポリペプチドは未変性状態および変性状態で存在するように可逆的に変性することができ、該方法は、（ａ）機能部位を含む該ポリペプチドの未変性状態を供するステップと、（ｂ）該ポリペプチドを候補安定化分子にばく露するステップと、（ｃ）該ポリペプチドの未変性状態の機能部位と少なくとも部分的にオーバーラップする部位に結合する該候補安定化分子を選択するステップと、（ｄ）該結合が該ポリペプチドの未変性状態を安定化するかどうかを決定するステップとを含む方法を提供する。
【００２５】
本発明のさらにもう一つの態様によれば、ポリペプチドを安定化する能力を有する安定化分子を同定する方法であって、該ポリペプチドは未変性状態および変性状態で存在するように可逆的に変性することができ、該方法は、（ａ）該ポリペプチドの機能部位を同定して、その機能部位を含むポリペプチド断片を供するステップと、（ｂ）該ポリペプチド断片に、機能部位と少なくとも部分的にオーバーラップする部位で結合する候補安定化分子を選択するステップと、（ｃ）該選択された候補安定化分子がポリペプチドの未変性状態を安定化するかどうかを決定するステップとを含む方法が提供される。
【００２６】
前記ポリペプチド断片は、前記ポリペプチドの天然の結合パートナーへの結合部位を含む機能部位を含みうる。
【００２７】
本発明のさらにもう一つの態様によれば、ポリペプチドを安定化する能力を有する安定化分子であって、先に挙げた本発明の２つの態様の方法によって同定される安定化分子が提供される。
【００２８】
本明細書に記載する安定化分子は、好ましくは、天然のもしくは誘導体化された炭水化物(derivatised carbohydrate)、タンパク質、ポリペプチド、ペプチド、糖タンパク質、核酸、ＤＮＡ、ＲＮＡ、オリゴヌクレオチド、タンパク質−核酸（ＰＮＡ）または小分子化合物を含む。本明細書に記載する方法では、そのような誘導体化されたまたは天然の安定化分子を使用することができる。より好ましくは、安定化分子は、糖、ホスフェート、アミン、アミド、サルフェート、スルフィド、ビオチン、蛍光団または発色団で誘導体化されてもよい。最も好ましくは、安定化分子は、蛍光団、好ましくはフルオレセインを使って誘導体化することができる。
【００２９】
前記ポリペプチドへの安定化分子の結合は、ＮＭＲ分光法(NMR spectroscopy)、好ましくは異種核ＮＭＲ分光法(heteronuclear NMR spectroscopy)、蛍光異方性(fluorescence anisotropy)、表面プラズモン共鳴(surface plasmon resonance)または示差走査熱量測定（ＤＳＣ:Differential Scanning Calorimetry）を使って検出することができる。
【００３０】
本発明のさらにもう一つの態様として、我々は、先に挙げた本発明の関連態様による疾患処置用の安定化分子を提供する。
【００３１】
本発明者らは、本発明の安定化分子がアポトーシスの発生または進行を誘導するのに特に役立ちうることを見いだした。
【００３２】
したがってさらにもう一つの態様として、本発明は、１つまたは複数の細胞におけるアポトーシスの発生または進行を誘導する方法であって、該１つまたは複数の細胞を本発明の安定化分子で処置するステップを含む方法を提供する。
【００３３】
さらにもう一つの態様として、本発明は、１つまたは複数の細胞を安定化分子で処置するステップを含む、前記１つまたは複数の細胞におけるアポトーシスの発生または進行を誘導するための医薬品の調製における安定化分子の使用を提供する。
【００３４】
本発明の上記の態様によれば、好ましくは、安定化分子は本明細書に記載するＣＤＢ３ペプチドである。
【００３５】
本明細書にいう「アポトーシス」または細胞死とは、形質膜が完全な状態を保ったまま細胞核の凝集とそれに続く断片化が起こることを特徴とする制御された細胞内プロセスを指す。このプロセスではアスパラギン酸残基を切断するカスパーゼを含む酵素のカスケードが活性化される。
【００３６】
アポトーシスを誘導する方法は、当業者にはよく知られており、例えば化学療法剤または放射線療法剤へのばく露、また可能であれば必須生存因子の使用中止などが挙げられる。処置細胞と無処置細胞との間の相違は、試験化合物に起因すると考えることのできる効果を示す。
【００３７】
アポトーシスを測定する方法は、当業者にはよく知られており、本明細書でも説明する。
【００３８】
本発明のさらにもう一つの態様によれば、本明細書に記載する安定化分子と、医薬的に許容できる担体、希釈剤または賦形剤と含む医薬組成物が提供される。
【００３９】
本発明のさらにもう一つの態様によれば、疾患処置用医薬品の製造における本明細書記載の安定化分子の使用を提供する。
【００４０】
さらにもう一つの態様によれば、本発明は、疾患の処置における本明細書記載の安定化分子の使用を提供する。
【００４１】
好ましくは、前記疾患は癌である。
【発明を実施するための最良の形態】
【００４２】
本発明は、ポリペプチドの未変性型に結合することによってそれを安定化する能力を有する安定化分子の提供に依拠している。
【００４３】
ポリペプチドが、未変性の、適切にフォールドした、または活性な形態と、変性した、アンフォールドした、または不活性な形態との間で平衡状態にある場合、安定化分子がポリペプチドの未変性型に結合することにより、その未変性型が安定化され、フォールドした、活性な、または未変性型の方向に平衡が動く。このように安定化分子は、変性型と比較した未変性型ポリペプチドの相対濃度を増加させることができる。そのような安定化分子は未変性状態のポリペプチドには結合するが、変性状態のポリペプチドには結合しない。質量作用の法則により、そのような場合には、平衡が未変性状態側にシフトし、活性タンパク質の量が増加することになる。
【００４４】
好ましくは、ポリペプチドは可逆的に変性する。言い換えると、どのような系にあっても、ポリペプチド分子の一部は未変性の、フォールドした、または活性な形態をとり、ポリペプチド分子の一部は不活性な、アンフォールドした（部分的アンフォールドであるか完全なアンフォールドであるかを問わない）、または変性した形態をとっている。そのような変性はさまざまな方法で起こりうるものであり、本発明は、それらのどの状況における使用にも適している。例えばポリペプチドは、非生理的環境へのばく露などによって、その変性をもたらす環境にばく露される場合がある。ポリペプチドは空気へのばく露によって酸化されたり、熱、高塩濃度または低塩濃度などへのばく露によって変性したりする場合がある。ポリペプチドは補因子の除去によって変性する場合もある。
【００４５】
しかし、極めて好ましい実施形態では、ポリペプチドの可逆的変性は遺伝子突然変異に起因して起こる。例えば、ポリペプチドの配列に突然変異があると、そのポリペプチドに不安定化が起こり、変性する傾向が生じる。好ましくは、そのような突然変異は、ポリペプチドの失活をもたらす。突然変異は、ポリペプチドの突然変異体表現型、またはその突然変異体表現型を有する細胞、組織もしくは生物をもたらす場合もあり、そのような突然変異体表現型は、突然変異を有さないポリペプチドすなわち野生型ポリペプチドに伴う野生型表現型とは、検出可能な何らかの点で相違する。したがって本発明の方法はそのような突然変異体表現型をレスキューするのに適している。これらの方法は、突然変異体型のタンパク質、例えば突然変異体型の腫瘍遺伝子タンパク質または腫瘍抑制タンパク質を、当該タンパク質の未変性状態には結合するが、変性状態には結合せず、結果としてこれら２つの形態の間に存在する平衡を未変性状態の方へシフトさせる安定化分子によってレスキューするためにも使用することができる。
【００４６】
突然変異型の腫瘍遺伝子および腫瘍抑制タンパク質は腫瘍形成に関与することが知られている。上述のように、そのような突然変異は当該ポリペプチドの部分的変性と失活につながる場合がある。したがって本発明の方法は、そのような突然変異型腫瘍遺伝子および／または腫瘍抑制タンパク質を安定化し、野生型活性を回復させるのに適している。それゆえに、本明細書に記載する方法は、腫瘍遺伝子および腫瘍抑制因子の野生型活性をレスキューするのに適しており、したがって腫瘍形成および／または癌を防止するのに適している。腫瘍遺伝子は、好ましくは、ｐ２１ｒａｓまたは当分野で知られている他の任意の腫瘍遺伝子を含む。腫瘍抑制因子は、好ましくは、ｐ５３または網膜芽細胞腫タンパク質を含む。このｐ５３は部分変性（好ましくは可逆的変性）をもたらす突然変異を有しても良い。そのような突然変異の例としては、Ｒ１７５Ｈ、Ｇ２４５Ｓ、Ｒ２４８Ｑ、Ｒ２４９Ｓ、Ｒ２７３ＨおよびＲ２８２Ｗが挙げられる。
【００４７】
さらに、多くの疾患は、ポリペプチド突然変異によって引き起こされるか、またはポリペプチド突然変異に関係し、それらの突然変異は当該タンパク質の不安定化および可逆的変性をもたらしうることが知られている。本明細書に記載する安定化分子を、そのような疾患を患っている患者に投与すれば、前記ポリペプチドの未変性型が安定化され、変性型に対する未変性型の量または相対濃度が増加するだろう。したがって安定化分子の投与は、そのような突然変異に関係する疾患またはそのような突然変異によって引き起こされる疾患を処置するために使用することができる。
【００４８】
極めて好ましい実施形態では、安定化分子は、前記ポリペプチド中の機能部位を含む部位に結合するか、または前記ポリペプチド中の機能部位と少なくとも部分的にオーバーラップする部位に結合する。安定化分子が結合する部位は、好ましくは、機能部位とオーバーラップするか、または機能部位からなる。そのような機能部位は、好ましくは、当該ポリペプチドの関連活性にとって不可欠な部位を含む。機能部位は当該ポリペプチドの構造にとって不可欠な部位であってもよい。機能部位は、細胞内の他の分子（例えば他のポリペプチド、小分子、リガンド、高分子、核酸などを含む当該ポリペプチドの天然の結合パートナーなど）と相互作用する相互作用部位であってもよい。
【００４９】
そのような機能部位の例としては、当該ポリペプチドが酵素である場合には、活性部位または基質結合部位が挙げられる。結合タンパク質の場合、機能部位は、当該ポリペプチドの結合部位または結合ドメインを含むか、当該ポリペプチドの結合部位または結合ドメインと少なくともオーバーラップする。例えば核酸結合部位の場合、機能部位は核酸結合部位、例えばＤＮＡ結合タンパク質中のＤＮＡ結合部位またはＲＮＡ結合タンパク質中のＲＮＡ結合部位を含む。当該ポリペプチドが他のポリペプチドと相互作用する場合、すなわち当該ポリペプチドがポリペプチド結合活性を有する場合、機能部位は、好ましくは、ポリペプチド相互作用ドメインまたはポリペプチド相互作用配列を含む。すなわち、機能部位は、他のポリペプチドと相互作用する配列を含むか、他のポリペプチドと相互作用する配列とオーバーラップするか、または他のポリペプチドと相互作用する配列である。
【００５０】
したがって好ましくは、ポリペプチドの未変性状態を安定化することによって、当該ポリペプチドに対する他の分子の結合が可能になる。当該他の分子は、好ましくは、安定化分子とは異なる分子であるか、安定化分子とは無関係な分子である。例えば、安定化分子でポリペプチドを安定化することにより、好ましくは、機能部位の適切なコンフォメーションを当該ポリペプチド中に維持することが可能になり、その結果、他の分子の結合が可能になる。当該他の分子は、好ましくは、当該ポリペプチドの天然の結合パートナー（例えばポリペプチドがＤＮＡ結合タンパク質である場合はＤＮＡ）である。
【００５１】
したがって安定化分子は、前記ポリペプチドまたは機能部位への結合に関して、前記ポリペプチドの天然の結合パートナーと競合する能力を有する。しかし好ましくは、前記ポリペプチドに対する安定化分子の結合親和性は、前記ポリペプチドに対する天然の結合パートナーの結合親和性よりも低い。したがって天然の結合パートナーは、機能部位または天然の結合パートナーの結合部位から安定化分子を追い出す能力を有する。したがって、この好ましい実施形態では、前記ポリペプチドに対する安定化分子の結合は、前記ポリペプチドに対する天然の結合パートナーの結合を可能とするのに十分な長さにわたって、前記ポリペプチドの未変性状態を安定化する。
【００５２】
未変性状態への安定化分子の結合は、平衡を、この状態に向かってシフトさせる。したがって、好ましくは、安定化分子はその安定化活性にエネルギーを必要としない。本明細書に記載する安定化分子は、古典的なシャペロン活性とは対照的に、ポリペプチドを能動的にリフォールドさせるのではない。
【００５３】
好ましくは、機能部位は、未変性の、活性な、または適切にフォールドした形態のポリペプチドだけに存在する。より好ましくは、機能部位は、変性型ポリペプチドには存在しない。好ましくは、未変性型ポリペプチドに対する安定化分子の結合親和性は、変性型ポリペプチドに対する結合親和性よりも大きい。極めて好ましい実施形態では、安定化分子は実質上、未変性型ポリペプチドだけに結合し、変性型ポリペプチドには結合しない。
【００５４】
小さい安定化分子も包含されるが、好ましい安定化分子はポリペプチドを含み、好ましくは、安定化しようとするポリペプチドの天然の結合パートナーに由来するポリペプチドを含む。これにより、小分子の合成に伴う困難と費用を抑えることができる。また、同定された小分子の合成手順をスケールアップするのは困難であることが多い。
【００５５】
安定化しようとするポリペプチドの天然の結合パートナーを安定化分子として使用してもよいが、極めて好ましい一実施形態は、当該ポリペプチドの天然の結合パートナーではない安定化分子の使用に依拠する。これは、安定化分子が、好ましくは、自然界には存在しないが未変性型の当該ポリペプチドに結合してそれを安定化する能力を有する、操作された分子であることを意味する。操作された安定化分子は、組換えＤＮＡ技術を含む当分野で知られている手段によって作製することができる。それら操作された安定化分子は、好ましくは、天然の結合パートナーの断片（好ましくは結合活性を含む断片）を含むか、またはそれらの断片からなる。したがって、例えば安定化分子がポリペプチドである場合、これはポリペプチド結合配列、ループまたはドメインからなるか、またはそれらを含むとよい。その一例は、ｐ５３結合ポリペプチド５３ＢＰ２（アクセッション番号ＮＭ＿００５４２６．１）の一断片であるＣＤＢ３からなる安定化分子である。
【００５６】
安定化分子が突然変異型タンパク質のレスキューに単独で作用しうることは、当業者には理解されるだろう。また、安定化分子は、タンパク質のレスキューに、他のペプチドまたは他の安定化分子と共同して作用する場合もある。１つまたは複数のペプチドまたは分子との間には相加的効果がみられる場合もあるし、相乗作用する場合もある。
【００５７】
好ましい一態様として、前記ポリペプチドは、腫瘍原性タンパク質または腫瘍抑制タンパク質、好ましくは突然変異型腫瘍原性タンパク質または突然変異型腫瘍抑制タンパク質であるタンパク質はｐ５３であること、好ましくはｐ５３の突然変異体であると有利である。腫瘍抑制タンパク質は網膜芽細胞腫タンパク質（ＲＢ=）を含むことができる。このリストが決して網羅的なリストでないことは、当業者には理解されるだろう。
【００５８】
未変性ポリペプチドへの安定化分子の結合は、当分野で知られている任意の適切な手段を使って検出することができる。好ましい手段として、ＮＭＲ分光法などの物理的方法が挙げられる。好ましい一実施形態ではＮＭＲに異種核ＮＭＲ分光法を使用する。結合は表面プラズモン共鳴を使って検出することもできる。もう一つの選択肢として、未変性型ポリペプチドへの安定化分子の結合は、示差走査熱量測定（ＤＳＣ）および／または蛍光異方性を使って検出される。これらの方法はすべて当業者にはよく知られており、本明細書でも詳述する。
【００５９】
これに代わる実施形態として、ポリペプチドの各状態（すなわち未変性状態または変性状態）への安定化分子の結合は、１つまたは複数のモノクローナル抗体に対するエピトープであって、一方の形態のポリペプチドにしか存在しないエピトープを発現させるポリペプチド試料の画分を調べることによって、検出することもできる。タンパク質のコンフォメーション変換を検出するのに適した他の方法には、例えば電気泳動や、薄層クロマトグラフィーなども含まれる。当業者には他の適切な方法もわかるだろう。
【００６０】
ある実施形態ではポリペプチドはＤＮＡ結合タンパク質を含む。突然変異型のＤＮＡ結合ポリペプチドは、ＤＮＡと結合することができない変性型を含む。ＤＮＡと結合することができないアンフォールドしたまたは歪んだ腫瘍原性タンパク質と結合して、変性状態と未変性「野生型」状態との間に存在する平衡を後者の側にシフトさせるような安定化分子が提供される。そうするとＤＮＡは突然変異型タンパク質と結合して、好ましくはペプチドである前記分子を追い出すことができるので、当該分子は再び自由に他のタンパク質分子と結合することができるようになる。
【００６１】
好ましい一態様では、ポリペプチドの変性がそのポリペプチド中の突然変異に起因する。そのような突然変異は野生型と比較して局所構造の歪みを引き起こしうる。ＤＮＡ結合タンパク質の場合、突然変異型タンパク質は主としてＤＮＡ結合部位の近傍に突然変異を含みうる。このタイプの典型的な突然変異型タンパク質は、２ｋｃａｌ／ｍｏｌ未満の不安定化を起こすだろう。「突然変異型タンパク質」という用語の範囲には、全体的なアンフォールディングを引き起こす突然変異を、例えばｐ５３などのＤＮＡ結合タンパク質のコアドメインβサンドイッチ内などに持つタンパク質も包含される。このタイプの典型的突然変異型タンパク質は、３ｋｃａｌ／ｍｏｌを超える不安定化を起こすだろう。タンパク質のフォールディングまたは安定性にはほとんど影響を及ぼさない接触突然変異体は、ここに定義する「突然変異型タンパク質」という用語の範囲には包含されない。
【００６２】
本明細書においてコアドメインとは、タンパク質（好ましくはｐ５３タンパク質）のうち、一般に明確な二次および／または三次アミノ酸コンフォメーションを有する領域を表す。これは一般に、当該タンパク質の残りの部分が存在しなくても構造的に安定であり、好ましくは、当該タンパク質に構造上の安定性を付与する。この領域内に突然変異が生じると、しばしば構造的に不安定になり、そのタンパク質の部分的なまたは完全なアンフォールディングおよび／または機能的活性の喪失が起こる。
【００６３】
腫瘍原性タンパク質には、癌の発生または維持に役割を果たすタンパク質が含まれる。また、本明細書における「腫瘍原性タンパク質」という用語の範囲には、癌の発生または維持の抑制および／または防止に役割を果たすタンパク質も包含される。この種の腫瘍原性タンパク質には、ｐ５３などの腫瘍抑制タンパク質が含まれる。
【００６４】
「未変性状態」にあるポリペプチドは、野生型ポリペプチドのコンフォメーションに相当するコンフォメーションを含みうる。このポリペプチドは、明確な三次元構造を有することができ、本来の生物学的活性および／または結合活性を有しうる。本明細書において「変性ポリペプチド」とは、未変性／野生型タンパク質と比較して、少なくとも部分的に構造的な歪みを生じかつ／またはアンフォールドしているタンパク質を表す。一般に、変性タンパク質には、野生型または未変性タンパク質と比較して、生物学的活性の少なくとも部分的な喪失および／または変化が起こっている。
【００６５】
ある一組の条件における未変性ポリペプチドの（変性ポリペプチドに対する）割合が、レスキューされていないポリペプチドと比較して増加する場合に、ポリペプチド（好ましくは突然変異型ポリペプチド）は「レスキューされる」。正常な生物学的活性および／または結合活性および／または構造を有する未変性型のタンパク質が、好ましくはかなりのポリペプチド分子数まで回復しうる。好ましくは、レスキューされるポリペプチド分子の一部は、野生型または未変性タンパク質と同じ構造コンフォメーションを有する。本明細書に記載する方法は、好ましくは、未変性ポリペプチドの割合を、１０％、２０％、３０％、４０％、５０％、６０％、７０％、８０％、９０％またはそれ以上増加させることができる。好ましくは、あるポリペプチド集団のうち、５０％またはそれ以上、好ましくは６０％、７０％、８０％、９０％、９５％またはそれ以上の分子が、未変性状態にある。最も好ましくは、ある集団内のポリペプチド分子の実質上すべてが未変性状態にある。
【００６６】
別段の定義を設けない限り、本明細書で使用する技術用語および科学用語はすべて（例えば細胞培養、分子遺伝学、核酸化学、ハイブリダイゼーション技術および生化学などの）当業者に一般に理解されているとおりの意味を有する。分子的、遺伝学的および生化学的方法（概要については、参考として本明細書に組み込むSambrookら「Molecular Cloning: A Laboratory Manual」第二版(1989)(Cold Spring Harbor Laboratory Press,ニューヨーク州コールドスプリングハーバー)およびAusubelら「Short Protocols in Molecular Biology」(1999)第4版(John Wiley & Sons,Inc.)を参照されたい）ならびに化学的方法には、標準的技術を使用する。また、標準的な免疫学技術については、HarlowおよびLane「A Laboratory Manual」（ニューヨーク州コールドスプリングハーバー）が挙げられる。
【００６７】
［安定化分子］
安定化分子は問題のポリペプチドの未変性型に結合する能力を有する。安定化分子の結合部位は、前記タンパク質の機能部位と少なくとも部分的にオーバーラップするか、その機能部位を含むか、またはその機能部位に含まれうる。
【００６８】
ポリペプチドへの安定化分子の結合は、その安定化分子が当該ポリペプチドの未変性型を安定化するような結合でなければならない。したがって、安定化分子の結合部位は、未変性型ポリペプチド中に存在する必要がある。安定化分子の結合部位は、変性型ポリペプチド中には存在しないことが好ましい。しかしそうである場合には、安定化分子は変性型よりも高い親和性で未変性型に結合すべきである。すなわち安定化分子は未変性型のポリペプチドに優先的に結合すべきである。
【００６９】
結合部位またはポリペプチドへの安定化分子の結合は、任意の既知機構によって、例えばイオン結合、共有結合、極性結合、塩橋、ファンデルワールス相互作用、疎水相互作用などによって起こりうる。安定化分子は、例えばポリペプチドを特定のコンフォメーションに保つことによって、またはコンフォメーション変化を誘導することによって、そのポリペプチドを安定化しうる。安定化は安定化分子がポリペプチドに結合したときに起こるという点以外は、安定化分子が未変性型のポリペプチドを安定化する機序は重要ではない。好ましくは、安定化分子は変性型には結合しないか、変性型に（上述したように未変性型より低い親和性で）結合する場合は、変性型を実質的には安定化しない。安定化が起こる場合、変性型に起こる安定化の程度は、未変性型の安定化よりも低い。
【００７０】
ポリペプチドまたはポリペプチドのある形態の「安定化」という場合、これは、そのポリペプチドまたはその形態が、安定化していない場合よりも、アンフォールディングを、またはもう一つの形態への変換を、起こしにくいことを意味すると解釈すべきである。安定化されたポリペプチドは、好ましくは、安定化されていないポリペプチドよりも高い融点（Ｔm）を有するだろう。例えば、ポリペプチドの安定化により、そのポリペプチドの見かけのＴmは上昇する。好ましくは、Ｔmは０．５、１、１．５、２、２．５、３、４、５、６、７、８、９、１０、１５、２０、２５、３０度またはそれ以上、上昇する。Ｔmを測定する手段は、当分野では知られている。
【００７１】
安定化は、ｋＣａｌ／ｍｏｌまたはこれと等価な測定値、例えばｋＪ／ｍｏｌなどの形で評価することもできる。好ましくは、安定化されたポリペプチドは、安定化されていない分子と比較して、０．５、１、１．５、２、２．５、３ｋＣａｌ／ｍｏｌもしくはｋＪ／ｍｏｌまたはそれ以上の増加を示す。
【００７２】
安定化という用語を使って、当該ポリペプチドの一方の形態からもう一つの形態への平衡のシフトを表してもよい。例えば、ポリペプチドの一つの形態を安定化することにより、関連集団中でその形態をとっているポリペプチドの割合を高くすることができる。
【００７３】
さらに安定化は、ある形態のポリペプチドが一つの形態で存在している時間をもう一つの形態で存在している時間と比較することによって、評価することもできる。
【００７４】
安定化分子はさまざまな手段によって同定することができる。適切な候補は、活性部位または機能部位で、またはその近傍で、ポリペプチドに結合する分子から同定することができる。候補は、問題のポリペプチドに結合する既知分子から同定することができる。そのような分子はポリペプチド、小分子、核酸などを含みうる。そのような分子の断片、例えば既知結合ポリペプチドの、例えば結合部位を含む断片を作製し、スクリーニングすることができる。安定化しようとするポリペプチド自体の断片も、候補として作製することができる。これらには、機能部位と相互作用してそれを安定化するポリペプチド内の断片、または好ましくは結合部位近くにもしくは結合部位に結合することによって、ポリペプチド全体の安定化に関与するポリペプチド内の断片を、好適に含めることができる。後述する具体的実施例では、候補結合ペプチドをｐ５３分子そのものから作製し、ｐ５３の安定化についてアッセイする。
【００７５】
当分野で知られているように、そのような分子を同定するためのアッセイを使用することができる。例えばライブラリー（例えばコンビナトリアルライブラリーまたは核酸ライブラリー、あるいはファージディスプレイなどによって宿主上に発現させてもよいポリペプチドライブラリーなど）を、ポリペプチドまたは機能部位を含むポリペプチドの断片への結合に関して、スクリーニングすることができる。大量スクリーニングでは候補分子またはポリペプチドもしくはそれらの断片のアレイを使用してもよい。既知結合分子についてはデータベース検索を行って候補を同定することができる。ＥＬＩＳＡ、ゲルシフトアッセイ、または以下に詳述するような他の方法を使って、結合アッセイを行ってもよい。
【００７６】
本明細書で使用する「機能部位」という用語は、当該ポリペプチドの関連活性の維持に関与する部位を指す。機能部位は多くのポリペプチドで知られており、タンパク質データベースまたは関連ポリペプチドに関する文献に挙げられている。そのような機能部位としては結合部位、例えば、他の分子（例えば他のポリペプチド、核酸、またはリガンドなどの他の分子）への当該ポリペプチドの結合を調整する部位を挙げることができる。機能部位には、当該ポリペプチドの構造または活性（活性は結合活性であっても、酵素活性であっても、他のどの種類の活性であってもよい）にとって不可欠な部位も含めることができる。そのような活性をアッセイする方法は問題にしている活性に依存し、当分野では知られているだろう。
【００７７】
同定された候補分子は、例えばポリペプチドの融点を、そのポリペプチドと候補分子との複合体の融点と比較することなどによって、ポリペプチドの未変性型を安定化する能力について調べることができる。
【００７８】
［安定化分子の性質］
本明細書で使用する「安定化分子」という用語には、例えば、原子または無機分子もしくは有機分子、生物学的エフェクター分子および／または生物学的エフェクター分子などの作用因子をコードする核酸、タンパク質、ポリペプチド、ペプチド、核酸、ペプチド核酸（ＰＮＡ）、ウイルス、ウイルス様粒子、ヌクレオチド、リボヌクレオチド、ヌクレオチドの合成類似体、リボヌクレオチドの合成類似体、修飾ヌクレオチド、修飾リボヌクレオチド、アミノ酸、アミノ酸類似体、修飾アミノ酸、修飾アミノ酸類似体、ステロイド、プロテオグリカン、脂質、脂肪酸および炭水化物である分子などが含まれるが、これらに限るわけではない。安定化分子は溶液状態でも懸濁状態（例えば結晶状、コロイド状、または他の粒状）でもよい。安定化分子は、単量体、二量体、オリゴマーなどの形態で、または他の形の複合体として存在しうる。
【００７９】
安定化分子は、当分野で知られている放射性同位体、例えば32Ｐまたは35Ｓまたは99Ｔｃなどによって、または核酸、ポリペプチドなどの分子、もしくは放射性同位体と結合させた後述するような他の分子によって標識することができる。安定化分子はＸ線放射などの放射線に対して不透過であってもよい。安定化分子は、特定の細胞、組織、器官、または動物の体内の他のコンパートメントに安定化分子を誘導するためのターゲティング手段も含みうる。例えば安定化分子は、ある生物中の所定の分子、組織または細胞に特異的な放射標識抗体を含んでもよい。
【００８０】
使用する安定化分子が１つである必要はなく、ポリペプチドを安定化するために２以上の安定化分子を利用することが可能であることは、理解されるだろう。したがって「安定化分子」という用語には、本明細書に開示するような原子、分子などの混合物、融合物、組み合わせおよび結合体も包含される。例えば、安定化分子として、ポリペプチドと組み合わせた核酸、互いに結合させた２以上のポリペプチド、生物学的に活性な分子（これはプロドラッグなどの小分子であってもよい）に結合したタンパク質、または生物学的に活性な分子とイメージング剤との組み合わせなどが挙げられるが、これらに限るわけではない。
【００８１】
「安定化分子」という用語は、さらに、生物学的な系で活性を有する分子も表しうる。生物学的な系で活性を有する分子としては、例えばタンパク質、ポリペプチドまたはペプチドなど、例えば構造タンパク質、酵素、サイトカイン（インターフェロンおよび／またはインターロイキンなど）、抗生物質、ポリクローナルもしくはモノクローナル抗体またはその有効部分（例えばＦｖフラグメント）（この抗体またはその断片は天然抗体、合成抗体またはヒト化抗体であることができる）、ペプチドホルモン、受容体、シグナリング分子、または他のタンパク質など；以下に定義する核酸、例えばオリゴヌクレオチドまたは修飾オリゴヌクレオチド、アンチセンスオリゴヌクレオチドまたは修飾アンチセンスオリゴヌクレオチド、ｃＤＮＡ、ゲノムＤＮＡ、人工染色体もしくは天然染色体（例えば酵母人工染色体）またはその一部、ＲＮＡ（ｍＲＮＡ、ｔＲＮＡ、ｒＲＮＡまたはリボザイムを含む）、またはペプチド核酸（ＰＮＡ）など；ウイルスまたはウイルス様粒子；ヌクレオチドもしくはリボヌクレオチドまたはその合成類似体（これらは修飾されていても無修飾であってもよい）；アミノ酸またはその類似体（これらは修飾されていても無修飾であってもよい）；非ペプチド（例えばステロイド）ホルモン；プロテオグリカン；脂質；または炭水化物などが挙げられるが、これらに限るわけではない。無機および有機化学物質を含む小分子も本発明には有用である。
【００８２】
［結合アッセイ］
ポリペプチドへの安定化分子の結合は、ＮＭＲ分光法など、当分野で知られているさまざまな手段を使って検出することができる。好ましい実施形態として、ＮＭＲでは異種核ＮＭＲ分光法を使用する。もう一つの実施形態ではＮＭＲ分光法と蛍光異方性を併用する。もう一つの選択肢として、ポリペプチドへの安定化分子の結合を、表面プラズモン共鳴または示差走査熱量測定（ＤＳＣ）を使って検出する。
【００８３】
これらの方法はすべて当業者にはよく知られており、本明細書でも以下に詳述する。説明はｐ５３用の安定化分子、例えばＣＤＢ３に関するものでありうるが、当業者であれば、これらに変更を加えて、ポリペプチドと安定化分子または候補安定化分子との間の結合を検出し、定量化することができるだろう。
【００８４】
ＮＭＲ分光法用の試料は、当業者に知られている方法を使って調製することができる。例えば、ＮＭＲ実験用の試料は、２５ｍＭリン酸ナトリウム緩衝液（ｐＨ７．２）中の１５０ｍＭ  ＫＣｌ、５ｍＭジチオスレイトール（ＤＴＴ）、５％Ｄ2Ｏに、濃度２２５μＭの15Ｎ標識ポリペプチド（ｐ５３コアドメインなど）と、最終濃度２〜２．５ｍＭの対応する安定化分子（ＣＤＢペプチドなど）とを含みうる。1Ｈ  15Ｎ  ＨＳＱＣスペクトルはＷｏｎｇらの論文（１９９９）に記述されているように取得することができる。ｐ５３コアドメイン−ＤＮＡ複合体の場合、本明細書に記載する方法での使用に適したＤＮＡは、二本鎖１２マーコンセンサスｐ５３結合配列５’−ＧＧＡＡＣＡＴＧＴＴＣＣである。
【００８５】
表面プラズモン共鳴測定はＢＩＡＣＯＲＥ  ２０００を使って、当業者によく知られている方法で行うことができる。例えば、これにはセンサーチップＳＡ（BIAcore AB、スウェーデン・ウプサラ）を装着して、ポリペプチドを安定化分子の結合に関してスクリーニングすることも、ポリペプチドへの安定化分子の結合を定量することもできる。例えばＢＩＡＣＯＲＥは、ペプチドをｐ５３コアドメイン結合に関してスクリーニングするためにも、ペプチドＣＤＢ３へのｐ５３コアドメインの結合を定量化するためにも使用することができる。ビオチン化した安定化分子（例えばＣＤＢペプチドなど）を固定化することができ、そうすることで、ポリペプチド（この場合はｐ５３）の結合を調べることができる。
【００８６】
固定化および結合測定はすべて、５０ｍＭ  ＨＥＰＥＳ（ｐＨ７．２）、５ｍＭ  ＤＴＴをランニング緩衝液として、１Ｈｚのサンプル頻度を使って、１０℃で行うことができる。チップのストレプトアビジン表面は、ペプチドを固定化する前に、５０Ｍ  ＮａＯＨ、１Ｍ  ＮａＣｌを使って、２０μＬ／分で１分間を３サイクルすることによって、活性化することができる。ビオチン化したペプチドを最終濃度が１．５〜４．０ｍＭになるように（０．１３Ｍ  ＮａＣｌを添加した上記の緩衝液に）溶解し、それを５μＬ／分の流量で、飽和レベルに達するまで固定化することができる。上記の実施例では、フローセル１をバルク屈折率の変化に関するバックグランドとして使用することができる。
【００８７】
ｐ５３とＣＤＢ３に関する一具体例では、固定化したペプチドへの結合に関してスクリーニングするために、さまざまな濃度のｐ５３コアドメインを解析する（上記の緩衝液中０．３６〜１８μＭ）。会合相は１０μＬ／分で１５分間調べる。結合したタンパク質は、各ｐ５３コアドメイン注入間に、１Ｍ  ＮａＣｌで１〜３分の再生サイクルを行うことによって、解離させる。
【００８８】
固定化ＣＤＢ３に対するｐ５３コアドメインの結合親和性は、さまざまな濃度のｐ５３コアドメイン（０．０１９〜０．１９μＭ）を使った結合等温線の半飽和濃度から見積もる。結合会合は、上記の緩衝液（塩の添加なし）中、２０℃にて、３０μＬ／分で５分間測定する。結合時の相対的応答を、ｐ５３コアドメイン濃度の対数に対してプロットし、Kaleidagraphソフトウェア(Abelbeck Software)を使って二状態式にあてはめる。
【００８９】
可溶性非標識ＣＤＢ３の結合親和性は、BIAcoreによる競合実験を使って、上記の緩衝液（塩の添加なし）中、２０℃で調べる(Niebaら、1996)。いずれも０．２０μＭ  ｐ５３コアドメインと、さまざまな濃度のＣＤＢ３（０．０３０〜１２０μＭ）とを含む、２１個の試料を調製する。２０℃で１時間のインキュベーション後に、結合データを、ランダムな試料順序で収集する。会合相を３０μＬ／分で５分間測定した後、表面の再生を上述のように行う。実験時間中は５試料毎に、タンパク質だけを含む対照試料をレファレンスとして解析する。BIAevaluation  ３．１ソフトウェア（Biacore AB、スウェーデン・ウプサラ）を使ってデータの最初の１５０秒に一次式をあてはめることにより、結合の初期会合速度を見積もる。遊離ｐ５３コアドメインの相対濃度を記述するこれらのデータ（図３ｃ）を、Kaleidagraphを使って、１：１結合モデル(Niebaら、1996)に従って解析する。測定した結合の会合速度が０．１９〜１．９μＭ（タンパク質のみ）の範囲でｐ５３コアドメインの濃度に比例していることと、増加したイオン強度の影響（高ペプチド濃度によるもの）が会合速度を有意に変化させないこと（０〜２０ｍＭ  ＮａＣｌ）とを確認するために、対照実験を行う。
【００９０】
蛍光異方性は、結合の測定および／または定量化に利用することができる。例えば、実験ソフトウェアで制御されたHamiltonマイクロラボＭディスペンサーを装着したPerkin-Elmer  ＬＳ−５０ｂルミネセンス分光蛍光計により、フルオレセイン標識ＣＤＢ３（ＦＬ−ＣＤＢ３、配列：ＦＬ−ＲＥＤＥＤＥＩＥＷ−ＮＨ2）を使って、１０℃で実験を行うことができる。タンパク質の凝集が起こるので、生理的温度での滴定は行うことができない。５ｍＭ  ＤＴＴを含む５０ｍＭ  Ｈｅｐｅｓ緩衝液（ｐＨ７．２）にペプチド（〜５μＭ，９００μＬ）を溶解する。励起波長４８０ｎｍ（バンド幅８ｎｍ）および蛍光波長５２５ｎｍ（バンド幅２．５ｎｍ）で蛍光異方性を測定する。遊離のペプチドはｒ＝０．０４という固有の異方性値を有し、この値はｐ５３コアドメインを添加すると０．２０の極限値まで増加した。
【００９１】
さまざな条件下でさまざまなｐ５３野生型および突然変異型コンストラクトと複合体を形成したＣＤＢ３に関する解離定数を決定するために、次の実験計画を使用する。すなわち、ＦＬ−ＣＤＢ３（９００μｌ，〜５μＭ）をキュベットに入れる。適当なｐ５３コンストラクト（２４０μｌ，〜５０μＭ）をHamiltonマイクロラボＭディスペンサーシリンジに入れる。温度を１０℃に保つ。タンパク質を３μＬずつ、〜１分ごとに、ペプチド溶液に滴下し、溶液を３０分秒撹拌し、異方性を測定する。異方性の増加および総蛍光量の減少をＦＬ−ＣＤＢ３−ｐ５３複合体の蛍光寄与に比例すると解釈する。
【００９２】
異方性および蛍光滴定曲線（希釈について補正したもの）を、次の単純な１：１平衡モデルにあてはめることによって、ＦＬ−ＣＤＢ３−ｐ５３複合体に関する解離定数を計算する。
p53＋FL-CDB3  ⇔  複合体  （１）
Ｋd＝［p53］［FL-CDB3］／［複合体］  （２）
［複合体］＝（［p53］0＋［FL-CDB3］0＋Ｋd−（（Ｋd−［p53］0＋［FLCDB3］0）2＋４＊Ｋd＊［p53］0）1/2）／２  （３）
式中、［p53］0は総タンパク質濃度であり、［FL-CDB3］0は総ペプチド濃度である。
【００９３】
与えられた滴定段階における総蛍光量は、
Ｆtotal＝ＦCDB3＊［FL-CDB3］／［FL-CDB3］0＋Ｆcomplex＊［複合体］／［FL-CDB3］0  （４）
によって表すことができる。また、与えられた時刻における総異方性は、
Ｒtotal＝ＲCDB3＊ＦCDB3＊［FL-CDB3］／［FL-CDB3］0＊Ｆtotal＋Ｒcomplex＊Ｆcomplex＊［複合体］／［FL-CDB3］0＊Ｆtotal
である。
【００９４】
この場合、ＦtotalおよびＲtotalはそれぞれ総蛍光量および総異方性であり、ＦCDB3、Ｆcomplex、ＲCDB3、Ｒcomplexは各分子種の蛍光および異方性値である。Marquardtアルゴリズムおよび実験ソフトウェアを使って、上記の式にデータをあてはめる。
【００９５】
ＣＤＢ３変異体またはｇａｄｄ４５  ３０マーＤＮＡが、ｐ５３コアドメインの結合部位に関して、フルオレセイン標識ＣＤＢ３とどのように競合するかを（間接的に）調べるために、競合実験で異方性を測定する。スリット幅（励起光１０ｎｍ、蛍光８ｎｍ）と、ＤＴＴを含まない緩衝液に非標識試料を溶解する点以外は、上記と同じ実験条件を使用する。９００μＬの２．０μＭ  ｐ５３コアドメインと０．５μＭ  ＦＬ−ＣＤＢ３とを含むキュベットに、非標識ＣＤＢ３の原液を、３μＬずつ８０段階に分けて滴下滴定する。競合ペプチドは９０秒毎に加え、溶液を３０秒撹拌し、６０秒後にモニタリングを開始した。３種類の非標識ＣＤＢ３原液濃度（０．２６、１．３および２．６ｍＭ）と１種類のビオチン化ＣＤＢ３濃度（０．２４ｍＭ）を使用する。ＤＮＡの場合は、５μＭと２５μＭの原液を使用する。
【００９６】
競合剤を添加する前のｐ５３コアドメイン−ＦＬ−ＣＤＢ３複合体の濃度と遊離ＦＬ−ＣＤＢ３の濃度（それぞれ［ＦＰ］0および［Ｆ］0）は、式（３）と、与えられた解離定数０．５３μＭを使って計算する。競合ペプチドの原液をｎ回添加した後の遊離ＦＬ−ＣＤＢ３の濃度［Ｆ］nは、
［Ｆ］n＝（ΔＲn／ΔＲ0）＊［ＰＦ］0＋［Ｆ］0  （６）
［式中、ΔＲ0はＦＬ−ＣＤＢ３だけ（下限値）からＦＬ−ＣＤＢ３とｐ５３コアドメインとの混合物への異方性の変化量であり、ΔＲnはｎ回目の添加を行った後の異方性の総変化量である］
によって見積もられる。タンパク質と非標識ＣＤＢ３との間の複合体の濃度［ＰＵ］nは、ｐ５３コアドメインの濃度から、次のように決定される。
［ＰＵ］n＝［Ｐ］total−［Ｐ]free,n−［ＰＦ］n  （７）
【００９７】
［Ｕ］total（非標識ペプチドの濃度）が［Ｐ］total（総タンパク質濃度）に対して過剰である場合は、式（２）を使って非標識ＣＤＢ３のＫdを計算した。
【００９８】
示差走査熱量測定も、結合の検出および／または定量化に使用することができる。示差走査熱量測定は当業者に知られている方法を使って行うことができる。好適な一例では、Microcal  ＶＰ−ＤＳＣ微小熱量計（Microcal，マサチューセッツ州アマースト）を使ってＤＳＣ実験を行う。ベースライン測定にも利用したＨｅｐｅｓ緩衝液（ｐＨ７．２）、１ｍＭ  ＤＴＴを使って、５℃から９５℃までの温度を、６０度／時間の速度で走査する。前記の緩衝液中に、ＦＬ−ＣＤＢ３（１５〜８０μＭ）の存在下または不在下で、野生型および突然変異型ｐ５３コアドメイン（６〜１５μＭ）の試料を調製した後、各実験に先立って１５分間の脱気を行う。セルに２５ｐｓｉ（１．５６気圧）の圧力をかける。Originソフトウェア(Microcal)を使ってデータを解析する。
【００９９】
［ペプチド、ポリペプチドおよびタンパク質］
本明細書に記載する方法は、未変性型のポリペプチドを安定化するのに適している。好ましくは、安定化分子はポリペプチドを含む。本明細書で使用する「ペプチド」「ポリペプチド」および「タンパク質」という用語は互いに同義である。
【０１００】
本明細書における「ペプチド」という用語は、互いにペプチド結合で連結された２以上のアミノ酸を包含する。通例、ペプチドは５、１０または２０個を超えるアミノ酸を有し、６００アミノ酸までの任意の長さを有しうる。好ましい実施形態では、ペプチドは２００個未満のアミノ酸を有し、特に好ましい実施形態では、ペプチドは１００個未満のアミノ酸を有し、さらに好ましい実施形態では、ペプチドは５０個未満のアミノ酸を有する。さらに好ましい実施形態では、ペプチドは２０個未満のアミノ酸を有する。最も好ましい実施形態では、ペプチドは１０個未満のアミノ酸を有する。ポリペプチドまたはタンパク質には、一本鎖ポリペプチド分子と、個々の構成ポリペプチドが共有結合または非共有結合によって連結されている多ポリペプチド複合体とが包含される。
【０１０１】
ペプチドである安定化分子の具体的アミノ酸組成が、その安定化分子に結合させようとしているタンパク質に依存することは、当業者には理解されるだろう。アミノ酸は天然アミノ酸でも合成アミノ酸でもよい。アミノ酸の適切な供給源は当業者にはわかるだろう。
【０１０２】
ポリペプチド（ペプチド安定化分子を含む）は、当業者に知られているであろう合成的方法によって作製することができる。もう一つの選択肢として、ポリペプチドは、天然または合成タンパク質および／またはポリペプチドおよび／またはペプチドから生成させることもできる。タンパク質、ポリペプチドまたはペプチドの分解は、当業者によく知られている方法を使って、酵素的消化および／または化学的消化によって行うことができる。他の適切な消化方法は当業者にはわかるだろう。
【０１０３】
本明細書における「ペプチド」という用語の範囲には、本明細書に記載するようなその誘導体および変異体も包含される。
【０１０４】
誘導体の例としては、リン酸基の付加などの翻訳後修飾を受けたペプチドが挙げられる。また、ホスフェート、アミン、アミド、サルフェート、スルフィド、ビオチン、蛍光団、および発色団からなる群より選択される１つまたは複数のリガンドが付加されていてもよい。このリストが網羅的であるとは考えていないことは、当業者には理解されるだろう。この態様の好ましい実施形態では、ペプチドである安定化分子が、蛍光団を使って誘導体化される。特に好ましい実施形態では、蛍光団がフルオレセインである。
【０１０５】
本明細書に記載するアミノ酸に関して「変異体」または「誘導体」という用語は、当該配列からの、または当該配列への、１つ（または複数）のアミノ酸の任意の置換、変異、修飾、置き換え、欠失、または付加を包含する。
【０１０６】
本明細書に記載するペプチドの変異体は、おそらく保存的アミノ酸置換を含むだろう。保存的置換とは、例えば下記の表に従って定義することができる。２列目の同じブロックにあるアミノ酸、また好ましくは３列目の同じ行にあるアミノ酸は、互いに置換することができる。
【０１０７】
【表１】
2005510460.tif 000003
【０１０８】
［ペプチド合成］
ペプチドは当業者に知られている方法を使って合成することができる。典型的な手順を以下に詳述する。
【０１０９】
ペプチドは４３２Ａ  Ｓｙｎｅｒｇｙペプチド合成装置(Applied Biosystems(ABI))を使って合成することができる。ＮＯＶＡｂｉｏｃｈｅｍから購入することができるＦｍｏｃ−Ｓｅｒ（ＰＯ（ＯＢｚｌ）ＯＨ）−ＯＨを除いて、保護アミノ酸誘導体、試薬類および溶媒類はＡＢＩから購入することができる。標準的なＦｍｏｃ法を、カップリング試薬ＨＢＴＵ／ＨＯＢｔと共に使用することができる。ペプチドは、トリフルオロ酢酸：トリイソプロピルシラン：水＝９０：５：５の混合物を使って樹脂から切り離し、冷エチルエーテルで沈殿させ、冷エチルエーテルで３回洗浄し、水または水：アセトニトリル＝１：１の混合液に溶解し、凍結乾燥することができる。
【０１１０】
ペプチドは逆相ＨＰＬＣ（９９６ＰＤＡ検出器を装着したＷａｔｅｒｓ  ６００）を使って精製することができる。カラムには分取用逆相Ｃ８カラム(Vydac)を使用することができ、勾配は３５分で１００％Ａから１００％Ｂまでとする（Ａ＝０．１％ＴＦＡ／水、Ｂ＝９５％アセトニトリル、５％水、０．１％ＴＦＡ）。精製したペプチドをＭＡＬＤＩ−ＴＯＦ  ＭＳで特徴づける。精製したペプチドは予想されるＭwを有していた。
【０１１１】
ビオチン化ペプチドの場合は、固相合成中に、ビオチンをＮ末端にそのカルボン酸を使ってカップリングすることができる。ビオチンカップリングには、場合によって２回繰り返すこと以外は、保護アミノ酸のカップリングと同じ条件を適用することができる。タンパク質とペプチドは市販のものを購入してもよい。例えばフルオレセイン標識ＣＤＢ３は、Graham Bloomberg博士（英国ブリストル大学）から購入する。
【０１１２】
タンパク質合成およびペプチド合成の方法は知られており、例えばManiatisらの著書に記載されている。例えばヒトｐ５３コアドメイン野生型および突然変異型（残基９４〜３１２）やヒト四量体型ｐ５３（残基９４〜３６０）などのタンパク質は、当業者によく知られている方法を使って、特に先に記述された方法(Bullockら、1997)を使って、クローン化し、発現させ、精製することができる。15Ｎ標識ヒトｐ５３コアドメインは、先に記述された方法(Wongら、1999)で、製造することができる。
【０１１３】
［安定化分子の用途］
さらに、少なくとも１つまたは複数の安定化分子と医薬的に許容できる担体、希釈剤または賦形剤とを含む組成物を記載する。
【０１１４】
本明細書に記載する安定化分子（好ましくはペプチド）および組成物は、インビボ治療用途およびインビボ予防用途、インビトロおよびインビボ診断用途、インビトロアッセイおよび試薬用途などに利用することができる。
【０１１５】
本明細書に記載する安定化分子および組成物の治療的および予防的用途では、それらを受容哺乳動物（例えばヒト）に投与する。
【０１１６】
「防止」という用語は、疾患誘発前に行われる防御組成物の投与に関係する。「抑制」とは、誘発後ではあるが、疾患の臨床発現前に行われる組成物の投与を指す。「処置」は、疾患症状が顕在化した後の防御組成物の投与に関係する。
【０１１７】
疾患からの保護または疾患の処置に関する、選択した安定化分子またはペプチドまたは組成物の有効性をスクリーニングするために使用することができる動物モデル系は、入手することが可能であり、当業者にはよく知られているだろう。
【０１１８】
一般に、安定化分子、ペプチドまたは組成物は、精製された形で、薬理学的に適切な担体と共に利用されるだろう。典型的には、これらの担体には、水性またはアルコール／水性の溶液、エマルションまたは懸濁液（いずれも食塩水および／または緩衝媒質を含む）が含まれる。非経口賦形剤には、塩化ナトリウム溶液、リンゲル液デキストロース、デキストロースおよび塩化ナトリウム、ならびに乳酸加リンゲル液などがある。必要であれば、ポリペプチド複合体を懸濁状態に保っておくための、生理学的に許容できる適切なアジュバントを、カルボキシメチルセルロース、ポリビニルピロリドン、ゼラチンおよびアルギナートなどの増粘剤から選択することができる。
【０１１９】
静脈内賦形剤には、水分および栄養補給剤ならびに電解質補給剤、例えばリンゲル液デキストロースに基づくものなどがある。保存剤および他の添加剤、例えば抗微生物剤、酸化防止剤、キレート剤および不活性ガスなども含まれていてよい(Mack(1982)「Remington's Pharmaceutical Sciences」第16版)。
【０１２０】
本明細書に記載する選択した安定化分子は、単独で投与される組成物として使用してもよいし、他の作用因子と併用してもよい。それら他の作用因子としては、シクロスポリン、メトトレキセート、アドリアマイシンまたはシスプラチナムなどのさまざまな免疫療法剤および免疫毒素、または放射線療法もしくは放射性同位体もしくは他のタイプの放射線との併用などを挙げることができる。医薬組成物にはさまざまな薬剤の「カクテル」も含めることができる。
【０１２１】
医薬組成物の投与経路は、当業者に一般に知られている経路のいずれでもよい。例えば免疫療法などの治療には、選択した安定化分子または組成物を、標準的な技術に従って、任意の患者に投与することができる。投与は、非経口投与、静脈内投与、筋肉内投与、腹腔内投与、経皮投与、肺経由の投与、または適宜、カテーテルを使った直接注入による投与など、任意の適切な形式で行うことができる。投与量と投与頻度は、患者の年齢、性別および状態、他の薬物の同時投与、禁忌ならびに臨床家が考慮すべき他のパラメータに依存するだろう。ペプチドは、ＤＮＡまたはＲＮＡ型のベクター（例えば細胞に形質導入する能力を有するウイルスベクター）からの発現によって投与してもよい。例えば、レトロウイルス、レンチウイルスまたはポックスウイルスベクターを使って、ＣＤＢ３ペプチドをコードする核酸を細胞に形質導入することができる。もう一つの選択肢として、核酸の直接注入も使用することができる。
【０１２２】
上記の代わりに、または上記に加えて、ペプチドまたはペプチドをコードする核酸の細胞への取り込みを促進するために、化学試薬を使用してもよい。適切な化学試薬としては、核酸にはリン酸カルシウムおよびＤＥＡＥ−デキストラン、またペプチドの送達には、Lipofectamine（商標）、リポソームに基づく送達系、例えばウイルス膜融合ペプチド、核移行ペプチド（例えばＶＰ２２）およびペネトラチンなどのペプチドとの融合などが挙げられる。このリストが網羅的であるとは考えていないことは、当業者には理解されるだろう。
【０１２３】
本発明者らは、ペプチドＣＤＢ３、特にフルオレセイン標識型のＣＤＢ３は、独力で細胞内部に侵入する能力を有するが、その送達効率はLipofectamine（商標）などの化学試薬の使用によって向上することを見いだした。さらに本発明者らは、野生型ｐ５３または著しく損なわれた突然変異体Ｒ１７５Ｈを発現させる細胞では、ｐ５３を欠く細胞よりも、著しいＣＤＢ３の核局在化が起こることを見いだした。ｐ５３は通常はその作用を核内で発揮するので、これはＣＤＢ３がｐ５３との複合体を形成した後、核内に輸送されることを示唆している。
【０１２４】
選択した安定化分子、ペプチドまたは組成物は、貯蔵のために凍結乾燥し、使用前に適切な担体で復元することができる。既知の凍結乾燥技術および復元技術を使用することができる。凍結乾燥と復元がさまざまな度合いの機能活性喪失をもたらしうること、そしてこれを補償するために使用レベルは上向きに調節する必要がありうることは、当業者には理解されるだろう。
【０１２５】
安定化分子またはそのカクテルを含む組成物は、予防的および／または治療的処置のために投与することができる。いくつかの治療用途では、選択した細胞の集団の少なくとも部分的な阻害、抑制、調整、殺細胞、または他の測定可能なパラメータを達成するのに十分な量を「治療有効用量」と定義する。この投薬を達成するのに必要な量は、疾患の重症度および患者自身の免疫系の全般的状態に依存するだろうが、一般的には体重１キログラムにつき選択したペプチドまたは他の安定化分子０．００５〜５．０ｍｇの範囲であり、より一般的には０．０５〜２．０ｍｇ／ｋｇ／回の用量が使用される。予防的用途の場合も、この選択した安定化分子またはそのカクテルを、同様の投与量またはさらに低い投与量で投与することができる。
【０１２６】
安定化分子および／または組成物は、タンパク質コンフォメーション、フォールディングおよび凝集のエラーがその疾患の一因となっている任意の疾患の処置に使用することができる。例として癌、嚢胞性線維症および神経変性などが挙げられる。特に好ましい実施形態では、前記の疾患が癌である。このリストが網羅的であるとは考えていないことは、当業者には理解されるだろう。
【０１２７】
［ｐ５３の安定化］
極めて好ましい実施形態として、我々は、ｐ５３ポリペプチドの未変性状態を安定化する能力を有する安定化分子を提供する。
【０１２８】
この好ましい安定化分子はポリペプチドであり、ＲＥＤＥＤＥＩＥＷ−ＮＨ2という配列を有する９アミノ酸残基ペプチドからなる。このペプチドをＣＤＢ３と呼ぶ。我々は、ｐ５３コアドメインに結合しそれを安定化することができるＣＤＢ３のフルオレセイン標識誘導体（ＦＬ−ＣＤＢ３）も提供する。
【０１２９】
ＣＤＢ３はｐ５３結合ポリペプチド５３ＢＰ２に由来し、このタンパク質の残基４９０〜４９８からなっている。残基４９０〜４９８はこのタンパク質中のｐ５３結合ループの一つを構成している。ＦＬ−ＣＤＢ３の最も際だった性質は、それが（１）見かけの融点を上昇させることからわかるように、ｐ５３コアドメインを安定化し、（２）可逆的に変性したｐ５３コアドメインのリフォールディングを誘発する能力を有することである。したがって、小さいペプチドは、ｐ５３コアドメインを、単に、その未変性状態には結合するが変性状態には結合せず、平衡を未変性型の方にシフトさせることによって、安定化することができる。
【０１３０】
［ポリペプチド標的部位］
安定化しようとするポリペプチド内に安定化分子の結合部位を同定することが必要になる場合がある。これは当分野で知られる様々な方法で行うことができる。
【０１３１】
ｐ５３コアドメイン内のＣＤＢ３結合部位の構造的特徴づけがキーポイントである。というのも、この部位はコアドメイン安定化分子の特異的標的として役立つかもしれないからである。ＮＭＲ化学シフト解析によってマッピングされたように、ＣＤＢ３結合部位は、ＤＮＡ結合部位の端に位置し、配列上は離れているが空間的には近い３つの構造要素（ループ１、ヘリックス２、およびストランド８の端）からなっている。ｐ５３安定化分子の一般標的としてのこの部位の利点は、それがＤＮＡ結合部位の近傍に位置しているために、その部位での局所的な安定化効果が可能になることである。事実、化学シフトデータは、ＤＮＡ結合とＣＤＢ３結合の効果の相違を示している。ＣＤＢ３結合は、ｐ５３コアドメイン内のＤＮＡ結合部位に対して、強い局在化した効果をもたらすが、ＤＮＡ結合時の化学シフトパターンはかなり異なり、シフトはそれほど局在化しておらず、むしろタンパク質構造全体に広がっている。
【０１３２】
興味深い知見は、ＣＤＢ３が５３ＢＰ２タンパク質中の親ループと同じ位置ではｐ５３コアドメインと結合しないことである(GorinaおよびPavletich,1996)。元の５３ＢＰ２ループはコアドメインのヘリックス２とループ３の間に結合して、５３ＢＰ２のＴｒｐ４９８は主としてｐ５３のループ３と接触し、５３ＢＰ２のカルボン酸側鎖はｐ５３  Ａｒｇ２７３（ヘリックス２の近くにあってストランド１０中に位置するＤＮＡ結合残基）と接触する(GorinaおよびPavletich,1996)。ＣＤＢ３結合部位も５３ＢＰ２に対するもう一つの結合部位であって、２つの代替的結合部位が調節的役割を有しているのかもしれない。ＣＤＢ３と元の５３ＢＰ２ループがｐ５３を異なる部位で結合するという知見は、相互作用の部分的に静電的な性質によって説明されるかもしれない。遊離ペプチドとしてのＣＤＢ３は、その高い負電荷ゆえに、ＤＮＡ結合部位の正荷電表面と結合する負荷電「ＤＮＡ模倣体」として、ある程度作用するのかもしれない。
【０１３３】
［ｐ５３コアドメイン突然変異体のレスキュー］
ＣＤＢ３は、２つのｐ５３コアドメインホットスポット突然変異体、すなわち弱く不安定化されているＧ２４５Ｓ(Bullockら、2000)と、ＤＮＡ結合領域内が歪んでいるＲ２４９Ｓ(Bullockら、2000;Wongら、1999)とに結合することがわかる。野生型とほとんど同様にフォールドするＧ２４５Ｓ突然変異体(Bullockら、2000)に対するＦＬ−ＣＤＢ３の親和性は、野生型の場合と同じである。より強く不安定化しているＲ２４９Ｓへの結合は弱い（ただしそれでも低マイクロモル濃度領域である）。さらにＣＤＢ３は、著しく不安定化しているｐ５３コア突然変異体（１９５Ｔ）にも結合する。この突然変異体中の突然変異は、典型的な腫瘍原性ホットスポットの一つにはない。
【０１３４】
ＣＤＢ３が突然変異体に結合するという知見から、そのような化合物はそのような突然変異体を安定化することによってそれらをレスキューするために使用することができるという可能性が生じる。それらの一般作用機序は単に未変性状態に結合し平衡をシフトさせることであるから、ＣＤＢ３様化合物は、ＤＮＡに結合することができない弱く不安定化した（例えばＧ２４５Ｓ）突然変異体および全体的にアンフォールドした（例えばＶ１４３Ａ）突然変異体のレスキューに使用することができるだろう（下記参照）。局所的に歪んだ突然変異体（例えばＲ２４９Ｓ）のレスキューへのＣＤＢ３の応用は、そのペプチドの特異的結合モードに依存し、またその突然変異によって起こる特異的歪みにも依存する。一般に、局所的に歪んだ突然変異体には、歪んだ部位の近くのコンフォメーションを変化させる、より特異的な分子が必要になる。我々はそれが可能であることをＲ２４９Ｓについて証明する。すなわちＦＬ−ＣＤＢ３はＲ２４９Ｓを安定化する。ＦＬ−ＣＤＢ３は歪み部位の近傍に結合するからである（ＤＮＡ結合部位のループ２および３の近く、Wongら、1999も参照されたい）。ＤＮＡ結合部位の端に結合するＦＬ−ＣＤＢ３は、この歪み部位での局所的コンフォメーション変化の一因となるのかもしれない。
【０１３５】
ＣＤＢ３の作用様式は、先に報告されたｐ５３  Ｃ末端ペプチドの作用様式とは異なっている。ＣＤＢ３は、ｐ５３の未変性状態に結合するが、ｐ５３の変性状態は結合しないことによって、ｐ５３を安定化する。これに対して、Ｃ末端ペプチドはｐ５３コアドメインの活性およびＤＮＡ結合を特異的に調節する(Abarzuaら、1996;Huppら、1995;Selivanovaら、1997;Selivanovaら、1999)。ＣＤＢ３および特にその標識誘導体ＦＬ−ＣＤＢ３はリード化合物であり、ｐ５３コアドメインに対してさらに大きい安定化効果を有するペプチドおよび小分子を将来的に設計するための基礎として使用することができる。ＣＤＢ３などのペプチドはＤＮＡ接触突然変異体をレスキューすることはできない。これらの突然変異体のレスキューには、欠けている相互作用の一助となる残基または小分子の導入を含む他の戦略を使用すべきである。
【実施例】
【０１３６】
一例として以下に実施例を挙げて本発明をさらに説明するが、以下の実施例は決して本発明を限定するものではない。
【０１３７】
これらの実施例は、腫瘍抑制タンパク質ｐ５３をそのＤＮＡ結合部位近くで結合してタンパク質の未変性型を安定化する能力を有する安定化分子ＣＤＢ３の単離と同定に関する。
【０１３８】
薬物として天然の結合部位を使用することにつきまとう欠点は、薬物が天然のリガンドと競合するということである。したがって、ＤＮＡとＣＤＢ３ペプチドとの競合が、ＣＤＢ３をリード化合物として使用することを不可能にすると思われるかもしれない。しかしこれはそうであるとは限らない。ＤＮＡの結合自体がｐ５３コアドメインを安定化し、ＤＮＡは極めて強固に結合するので、ＣＤＢ３などのペプチドによる安定化は、突然変異型ｐ５３が変性したコンフォメーションをとっているためにＤＮＡ結合が損なわれている突然変異体だけに必要である。いったんタンパク質がＤＮＡを結合すると、ペプチドはもはや必要なくなる。
【０１３９】
ｐ５３コアドメインのリフォールディングを誘導するＣＤＢ３の能力と、ＤＮＡがＣＤＢ３をｐ５３から追い出すことができるとうい知見とから、我々は、変性した腫瘍原性タンパク質をレスキューするための「シャペロン」機構を提案するに至った（図７ｃ）。すなわちＣＤＢ３は、ＤＮＡと結合する能力を有するおそらく生合成直後の腫瘍原性タンパク質の未変性状態だけと結合して、平衡を未変性状態側にシフトさせる。そうすると、ＤＮＡはそのタンパク質と結合することができるようになり、その結果、ＣＤＢ３ペプチドは追い出されて、再び自由に別のタンパク質分子に結合することができる。さらに、ＣＤＢ３ペプチドはｐ５３の単量体にも四量体にも等しく結合するが、四量体の協同性により、ＤＮＡは、四量体の方にはるかに強固に結合するので（未公表）、ＤＮＡは薬物をより容易に追い出すことができる。
【０１４０】
［実施例１］
［ｐ５３コアドメイン結合ペプチド候補の設計］
ｐ５３コアドメインの未変性状態と結合するペプチドは、ｐ５３結合タンパク質から導くことができる。ｐ５３に結合したタンパク質の複合体のなかで高解像度で解析されている希な一例は、ｐ５３コアドメイン−５３ＢＰ２複合体である(GorinaおよびPavletich,1996)。５３ＢＰ２は、５３結合タンパク質(Iwabuchiら、1994)であって、ｐ５３によるトランス活性化を増進し、細胞周期進行を妨げ、アポトーシスを誘導する(Iwabuchiら、1998;Lopezら、2000)。５３ＢＰ２はｐ５３コアドメインをそのＤＮＡ結合部位で結合し、そのループのうち３つはｐ５３と接触する(GorinaおよびPavletich,1996)（図１）。これら３つのループに相当する３つのペプチドを合成して調べる(Core Domain Binding(CDB)1-3、表1参照)。
【０１４１】
コアドメイン結合ペプチドのもう一つの潜在的供給源は、ｐ５３自体に含まれている配列であって、コアドメインと結合しその活性を調節する配列である。Ｃ末端ドメイン（アミノ酸３６３〜３９３）(Bayleら、1995)とプロリンリッチドメイン（アミノ酸５４〜９４）(Muller-Tiemannら、1998)は、ｐ５３内にある２つのそのような領域である。両方の領域に対応するオーバーラップペプチドをいくつか合成する（表１のＣＤＢ４、７〜１０）。Ｃ末端ドメイン内のＳｅｒ３７８はリン酸化を受けることが知られているので(Takenakaら、1995)、この領域に由来するホスホペプチドも合成する（表１のＣＤＢ５、６）。Ｃ末端ドメインとプロリンリッチドメインとは互いに存在しあう場合にのみ、コアドメインと結合することができるので(Kimら、1999)、これらのドメイン間の融合ペプチドも設計する（表１のＣＤＢ１１）。
【０１４２】
〔ｐ５３コアドメインの結合に関するＣＤＢペプチドのスクリーニング〕
ｐ５３コアドメインへのペプチドの結合に関する初期スクリーニングは、異種核ＮＭＲ分光法を使って、15Ｎ標識ｐ５３コアドメインの主鎖1Ｈおよび15Ｎ共鳴の変化をモニターすることによって行う(Wongら、1999)。化学シフト変化はＣＤＢ２とＣＤＢ３だけに観察されることから、これらのペプチドだけがｐ５３コアドメインに結合することが示唆される（図２）。
【０１４３】
ｐ５３コアドメインに対するペプチドの親和性を見積もるには、表面プラズモン共鳴を使用することができる。Ｎ末端にビオチン標識を取り付けたペプチドＣＤＢ１、２、３、９および１１を合成し直す。これらビオチン化ペプチドをストレプトアビジン（ＳＡ）センサーチップ上に固定化し、ｐ５３コアドメイン（７．２μＭ）を注入し、BIAcore装置を使って結合をモニターする。対照フローチャネル（ペプチドを固定化していないＳＡチップ）に合わせて補正した、種々のペプチドに関する相対的応答を、図３ａに示す。ｐ５３コアドメインはＣＤＢ３に対して最も強固な結合を有しており、ｐ５３コアドメインがＣＤＢ２よりもＣＤＢ３によく結合することを示したＮＭＲデータとよく一致した。ＣＤＢ１およびＣＤＢ９への有意な結合はない。
【０１４４】
［実施例２］
［ＣＤＢ３−ｐ５３コアドメイン結合の特徴づけ］
表面プラズモン共鳴を使って、ＣＤＢ３−ｐ５３コアドメイン結合定数を定量的に測定することができる。ビオチン化ＣＤＢ３をＳＡセンサーチップ上に固定化し、ｐ５３コアドメイン（０．０２〜２μＭ）を注入する（図３ｂ）。５０％結合時のｐ５３コアドメイン濃度は２００ｎＭと見積もられる。
【０１４５】
ＣＤＢ３が結合しているｐ５３コアドメイン中の部位を同定するために、結合型および非結合型ｐ５３コアドメインのスペクトル間に見られる化学シフトの相違を利用する。結合状態と非結合状態との間で各残基に見られる主鎖1Ｈおよび15Ｎ共鳴の変化を図４ａに示す。化学シフト変化は、主として、ＤＮＡ結合部位の一端に位置するループ１、ヘリックス２およびストランド８に認められる（図４ｂでは青色と紫色に色分けしている）。ＣＤＢ３の存在下での化学シフト変化も、ヘリックス１中の２残基に観察されるが、これらは結合部位を限定するものではなく、おそらく弱い非特異的相互作用によるのだろう。遊離ペプチド（図４ｂでは赤色に色分けしている）としてのＣＤＢ３は、５３ＢＰ２内の元のループとは異なる位置で、ｐ５３コアドメインと結合しているようである(GorinaおよびPavletich,1996)。これは、ループ３とヘリックス２の別の側面とからなるＤＮＡ結合部位中央の元の場所ではなく、ＤＮＡ結合部位の端にあるループ１、ストランド８およびヘリックス２と結合する。
【０１４６】
蛍光異方性滴定を使って、ｐ５３コアドメイン−ＣＤＢ３相互作用に関する解離定数を１０℃で決定することができる。ｐ５３コアドメインでフルオレセイン標識ＣＤＢ３（ＦＬ−ＣＤＢ３）を滴定して、標識ペプチドの異方性の変化（図５ａ）と５２５ｎｍでの総蛍光量とをモニターする。標識ペプチドの初期異方性値は０．０４であり、ＦＬ−ＣＤＢ３−ｐ５３コアドメイン複合体の極限値は０．２０である。結合曲線を１：１の単純な平衡モデルにあてはめると、Ｋdは０．５３±０．０９μＭ（表２）であることがわかる。ＣＤＢ３が、単離されたコアドメイン（残基９４〜３１２）だけでなく、四量体型ｐ５３も結合することを確認するために、四量体型ｐ５３コンストラクト（ｐ５３  ９４〜３６０）への結合に関するＫdを同じ方法で決定すると、０．７７±０．０９μＭであることがわかる。
【０１４７】
［実施例３］
［フルオレセイン標識ペプチドの結合］
ＣＤＢ３のＮ末端に異なる標識（フルオレセインおよびビオチン）を取り付けることによってＫdが変化するかどうかを決定するために、非標識ペプチドに関する解離定数を、２つの独立した方法、すなわち競合BIAcore（図３ｃ）および異方性（図５ｂ）により、競合実験で測定することができる。非標識ペプチドは３７μＭのＫdを有していた（表３）。Ｎ末端のビオチン化は、（非標識ペプチドとの比較で）親和性を、溶液測定では３倍（Ｋd＝１２μＭ、図５ｂおよび表３参照）、また固定化試料−BIAcoreアッセイではそれ以上（Ｋd＝０．２μＭ、図３ｂ参照）に向上させた。おそらく無置換ペプチドは、そのＮ末端アミノ基上の正電荷と、正に帯電したタンパク質表面との間に静電反発があるために、結合が弱くなっているのだろう。あるいは、フルオレセイン自体が親和性を向上させるのかもしれない。
【０１４８】
〔ＦＬ−ＣＤＢ３はｐ５３コアドメインを安定化し、その見かけのＴmを上昇させる〕
示差走査熱量測定法（ＤＳＣ）を使って、ＦＬ−ＣＤＢ３によるｐ５３コアドメインの安定化を検出する。ｐ５３コアドメインの熱変性は不可逆的であるので、見かけの融点（Ｔm）しか決定することはできないが(Bullockら、1997)、安定性の増加は見かけのＴmの上昇と相関させることができる。ＤＳＣ測定はすべて、Ｈｅｐｅｓ緩衝液（ｐＨ７．２）、１ｍＭ  ＤＴＴ中で行う。これらの条件下で野生型ｐ５３コアドメインの見かけのＴmは４０．１℃である。ペプチドＦＬ−ＣＤＢ３の存在下ではＴmは１．５度上昇し（図６ａ）、このペプチドの安定化効果が明らかになった。突然変異体Ｒ２４９Ｓの見かけのＴmは３４．９℃であり、これは上記ペプチドの存在下では３５．９℃に上昇した。Ｒ２４９Ｓ突然変異体のシグナルは、タンパク質の凝集が増えるために弱くなっている。同じ濃度の非標識ＣＤＢ３はＴmのシフトを誘発しなかった（図なし）。
【０１４９】
［実施例４］
［ＦＬ−ＣＤＢ３は未変性状態のｐ５３コアドメインと結合するが、変性状態のｐ５３コアドメインは結合しない］
ＦＬ−ＣＤＢ３は、ｐ５３コアドメインを安定化するペプチドとして、未変性状態と結合するが、変性状態は結合しない。これは「野生型様」のフォールドした安定な突然変異体を、野生型に対する親和性と同等の親和性で結合するが、部分的にアンフォールドした歪んだ突然変異体は、それよりも低い親和性でしか結合しないはずである。２つのｐ５３コアドメイン突然変異体、すなわち、３７℃で９５％フォールドしており、１０℃で１．２１ｋｃａｌ／ｍｏｌの不安定化を起こしているＧ２４５Ｓと、３７℃で８５％フォールドしており、歪んでいて、１０℃で１．９２ｋｃａｌ／ｍｏｌの不安定化を起こしているＲ２４９Ｓ(Bullockら、1997;Bullockら、2000)への、ＦＬ−ＣＤＢ３の結合を測定する。１０℃ではどちらの突然変異体も、未変性様コンフォメーションをとっていると予想される。この温度でのＫd値は、蛍光異方性から（図５ａ参照）、Ｇ２４５Ｓの場合は０．５７±０．０９μＭ、Ｒ２４９Ｓの場合は３．３±０．５μＭであり、これは、より強く不安定化されている突然変異体の方が弱く結合していることを示している。
【０１５０】
ＦＬ−ＣＤＢ３が未変性状態のｐ５３コアドメインと結合するが、変性状態のｐ５３コアドメインは結合しないことを確認するために、我々は、一連の尿素濃度下で蛍光異方性滴定を繰り返した（図６ｂ）。ｐ５３コアドメインをさまざまな尿素濃度で終夜インキュベートし、それを使って、同じ尿素濃度で溶解したＦＬ−ＣＤＢ３を滴定した。ｌｏｇ  Ｋd対尿素濃度のプロット（図６ｃ）により、尿素濃度が上昇して、より多くのタンパク質がアンフォールドした状態になるにつれて、結合は弱くなることがわかった。定量的な解析により、尿素は未変性ｐ５３コアドメインへのペプチドの結合も弱くすることがわかった（図なし）。
【０１５１】
［実施例５］
［ＦＬ−ＣＤＢ３はｐ５３コアドメインのリフォールディングを誘発する］
部分的に変性したｐ５３コアドメインをリフォールドさせるＣＤＢ３の能力を、蛍光異方性を使って決定する。ｐ５３コアドメインを３Ｍ尿素中、１０℃で終夜インキュベートする。この条件下では、ｐ５３コアドメインは主に変性している。次に、それを３Ｍ尿素中のＦＬ−ＣＤＢ３と混合し、異方性の変化を経時的にモニターする（図６ｄ）。標識ペプチドの初期異方性値は０．０４である。ペプチドをｐ５３コアドメインと混合すると、迅速な結合が起こって、ＦＬ−ＣＤＢ３−ｐ５３コアドメイン複合体が形成される。３Ｍ尿素と共に終夜インキュベートした後のこの複合体の異方性値は０．０６〜０．０７であり、これらのＦＬ−ＣＤＢ３濃度およびｐ５３コアドメイン濃度における結合複合体の限界異方性値０．１７（図５ａから推定）よりもはるかに低い（図なし）。なぜなら、これらの条件では、タンパク質の大半が変性しており、ペプチドと結合しなかったからである。ペプチドが質量作用によってタンパク質リフォールディングを誘発するにつれて、異方性に経時的な増加が起こる（図６ｄ）。ｐ５３コアドメインおよびＣＤＢ３（各５μＭ）を終夜プレインキュベーションなしで３Ｍ尿素と混合すると、アンフォールディングが起こって同じ終点に到達した。総合すると、ＣＤＢ３はｐ５３コアドメインのリフォールディングを誘発し、その存在下で、平衡は未変性状態の方へシフトした。尿素は未変性構造への結合を弱めるので、３Ｍ尿素中での安定化効果は、それらが水だけの中に存在するときほどには顕著でない。
【０１５２】
［実施例６］
［ＤＮＡはｐ５３コアドメイン結合に関してＦＬ−ＣＤＢ３と競合する］
ＮＭＲデータ（図４）によれば、ＣＤＢ３はｐ５３コアドメインをＤＮＡ結合部位の端で結合するらしく、このことから、これら２つの結合部位は少なくとも部分的にオーバーラップすることが示唆される。我々は、ｐ５３コアドメインへのＦＬ−ＣＤＢ３の結合とｇａｄｄ４５  ＤＮＡの結合との間の競合を、蛍光異方性を使って測定した。ＤＮＡ（５〜２５μＭ）は上記のペプチドと結合部位から完全に追い出したことから、ＤＮＡ結合部位とペプチド結合部位とはオーバーラップしていることが示された（図７ａ）。ｐ５３コアドメインでＣＤＢ３とＤＮＡの混合物を滴定すると、ペプチドへの結合ではなくＤＮＡへの結合だけを決定することができた（図なし）。
【０１５３】
ＣＤＢ３結合とＤＮＡ結合に関する構造情報をさらに得るために、我々は異種核ＮＭＲ分光法を使用した。ｐ５３コアドメインのＨＳＱＣスペクトルを１２マーコンセンサスＤＮＡ配列の存在下で記録し、ＣＤＢ３結合部位の場合と全く同様にして、ＤＮＡ部位を化学シフト解析によってマッピングする。ＤＮＡの存在下での化学シフトは、タンパク質全体に分布していて、ＤＮＡ結合部位にもβサンドイッチにも見いだすことができる。有意なシフトは、例えばループＬ１（Ｓ１２１）、ストランドＳ１０（Ｒ２７３、Ｒ２７４）、Ｌ３（Ｍ２３７、Ｓ２４１）、Ｌ２（Ｃ１７６）、Ｓ４（Ａ１５９）、Ｓ６およびＳ７（Ｒ２０２、Ｖ２１６、Ｙ２２０）、Ｓ９とＳ１０の間のヒンジ（Ｌ２５７、Ｄ２５９）およびヘリックスＨ２内の残基などに観察することができる。総合的にみて、ＣＤＢ３が結合した場合とＤＮＡが結合した場合とでは、化学シフトパターンにはかなりの相違がある。ＣＤＢ３部位はＨ２−Ｌ１−Ｓ８領域（特にＬ１）によく局在化しているが、ＤＮＡ結合はタンパク質全体のさまざまな領域のコンフォメーションに影響を及ぼす。
【０１５４】
［実施例７］
［ＣＤＢ３は著しく不安定化したｐ５３突然変異体Ｉ１９５Ｔへの配列特異的ｃＤＮＡを回復させた］
我々は、４．１ｋｃａｌ／ｍｏｌの著しい不安定化を起こしていて結合親和性が低いβサンドイッチ突然変異体Ｉ１９５Ｔ(Bullockら、2000)に対するＣＤＢ３の効果を観察することにより、ｐ５３コアドメイン突然変異体への配列特異的ＤＮＡ結合活性をＣＤＢ３が回復させうるかどうか調べた。ＣＤＢ３（１００μＭ）の存在下（またはその不在下）で、Ｉ１９５Ｔ（１０μＭ）を、１０℃で１時間インキュベートし、それを使って、同じペプチド濃度の存在下で、フルオレセイン標識Ｇａｄｄ−４５  ＤＮＡを滴定した。ペプチドが存在しない場合、Ｉ１９５ＴはＧａｄｄ４５  ＤＮＡをＫd＝６μＭで結合した（図７ｂ）。ＣＤＢ３とのインキュベーション後は、結合が６倍改善され、Ｋdは、野生型の０．８μＭという値に近い１μＭになった。予想通り、ＣＤＢ３は完全に未変性な野生型ｐ５３コアドメインのＤＮＡ結合には影響を及ぼさなかった（図なし）。
【０１５５】
ＤＮＡ結合の回復が配列特異的であることを確認するために、我々は、ランダムな二本鎖ＤＮＡ配列フルオレセイン−ＡＡＴＡＴＧＧＴＴＴＧＡＡＴＡＡＡＧＡＧＴＡＡＡＧＡＴＴＴＧを使って実験を繰り返した。この配列へのＩ１９５Ｔの結合は極めて弱く、上記のペプチドによって改善されないばかりでなく、むしろ阻害された（図なし）。
【０１５６】
［実施例８］
［一般方法］
下記の実施例で使用した一般方法は、参考として本明細書に組み込むBykovら、Nature Med 8,282-288(2002)に詳述されている。
【０１５７】
［細胞株］
以下の実施例に記載する実験では以下の細胞株を使用した。ｐ５３対立遺伝子が両方とも欠失しているＨ１２９９肺癌；Ｒ１７５Ｈ突然変異体をトランスフェクトしたＨ１２９９であるＨ１２９９−Ｈｉｓ１７５；ｐ５３対立遺伝子が両方とも欠失しているＳａｏｓ−２骨肉腫；Ｒ２７３Ｈ突然変異体をトランスフェクトしたＳａｏｓ−２−Ｈｉｓ２７３；野生型５３を有する（また、高レベルのＭｄｍ２を有し、ＡＲＦは欠失している）ＨＣＴ１１６ｐ５３＋／＋；およびｐ５３対立遺伝子を両方とも相同組換えによって欠失させたＨＣＴｐ５３−／−。
【０１５８】
［実施例９］
［ＦＬＣＤ８３ペプチドで２４時間処置した後の細胞におけるＦＬ−ＣＤ８３の分布］
結果を図８に示す。使用した方法の詳細はBykovら、Nature Med 8,282-288(2002)に記載されている。
【０１５９】
図８は、ペプチドで２４時間処置した後の細胞におけるＦＬ−ＣＤＢ３の分布を示している。核はは青色に見え（ヘキスト染色）、ペプチドは緑色である。上段左：ｐ５３  Ｒ１７５Ｈを含むＨ１２９９細胞。Ｆｌ−ＣＤＢ３は核に局在化し、大きな沈着が核小体にみとめられた。上段右：一部の例では細胞質への分布も観察された。中段：Lipofectamine 2000（商標）との混合送達後は、核画分も多少は存在したものの、ペプチドの位置は細胞質にあった。下段左右：親のｐ５３ヌルＨ１２９９細胞におけるペプチドの分布。ｐ５３ヌル細胞では、ペプチドはほとんど細胞質に局在するようであるが（Ｈ１２９９）、一部の細胞では核小体局在も明白である（Ｈ１２９９１−１）。ペプチドは少なくとも４８時間は見えていた。
【０１６０】
結論として、ペプチドＦＬ−ＣＤＢ３は独力で細胞内部に侵入する能力を有するが、その送達効率はLipofectamine（商標）によって向上させることができた（図８）。重要なことに、野生型ｐ５３または著しく損なわれている突然変異体Ｒ１７５Ｈを発現させる細胞では、ｐ５３を欠く細胞の場合と比較して、Ｆｌ−ＣＤＢ３の核局在がはるかに顕著である。ｐ５３は通常は核内でその活性を発揮する。
【０１６１】
［実施例１０］
［Ｆｌ−ＣＤＢ３と共に２４時間インキュベートした後のウェスタンブロットによる、誘導されたタンパク質発現の検出］
結果を図９に示す。
【０１６２】
Ａ、ＣおよびＤ枠：ＦＬ−ＣＤＢ３で処置することにより、ｐ５３突然変異体Ｈｉｓ１７５およびＨｉｓ２７３は、内在性遺伝子ｐ２１およびＭｄｍ−２の転写を活性化する能力を回復した。Ｈｉｓ１７５  ｐ５３突然変異体をトランスフェクトした肺癌細胞Ｈ１２９９と、親の非トランスフェクト細胞とを、以下に示す量のペプチドで処置し、２４時間インキュベートし、ｐ５３、ｐ２１、およびＭｄｍ−２タンパク質の発現について調べた。アクチンのレベルからタンパク質負荷量は等しいことがわかる。特に、突然変異型ｐ５３のレベルは著しく増加していた。Ｂ：ＦＬ−ＣＤＢ３で処置することによって、大腸癌ＨＣＴ１１６細胞ではｗｔｐ５３が誘導され、Ｍｄｍ−２およびｐ２１の発現が活性化される。ＨＣＴｐ５３−／−細胞ではｐ５３発現の不在下でｐ２１の誘導もＭｄｍ−２の誘導も観察されなかった。Ａ枠とＢ枠では、レーン１はＦｌ−ＣＤＢ３なしの対照であり、レーン２は１０μｇ／ｍＬ  ＦＬ−ＣＤＢ３による処置の２４時間後である。Ｃ枠とＤ枠では、レーン１は対照（Ｆｌ−ＣＤＢ３なし）、レーン２は１０μｇ／ｍＬ  ＦＬ−ＣＤＢ３、そしてレーン３は１μｇ／ｍＬ  ＦＬ−ＣＤＢ３である。ペプチドによる処置は、LipofectamineありまたはLipofectamineなしで行った。ここに記載するデータは、Ｃ枠とＤ枠を除いてすべて、Lipofectamineなしで行った処置後に得たデータである。Ｃ枠とＤ枠におけるｐ５３標的遺伝子の誘導はＦｌ−ＣＤＢ３の濃度に依存するようである。
【０１６３】
総合すると、本ペプチドは、内在するｐ５３標的遺伝子ｐ２１およびＭｄｍ−２を、ｐ５３依存的に誘導する（図９）。２つの突然変異体Ｈ２７３とＨ１７５を試験した。驚いたことに、どちらの突然変異体の転写活性も復活した。実験はすべて、少なくとも３回は繰り返した。興味深いことに、野生型ｐ５３の転写機能も活性化される。野生型および突然変異型ｐ５３タンパク質のレベルはかなり上昇した。
【０１６４】
［実施例１１］
［ＦＬ−ＣＤＢ３が細胞周期に及ぼす効果のＦＡＣＳ解析］
腫瘍細胞を１０μｇ／ｍＬのペプチドで処置し、処置の２４時間後にＦＡＣＳ解析法を使って、細胞周期分布と細胞死（サブＧ１画分として）を解析した。左右一対にしたグラフの左側は、それぞれＦｌ−ＣＤＢ３なしの対照である。ある実験では、死細胞のパーセンテージを、トリパンブルー排除法によって決定した。Ｈ１２９９−Ｈｉｓ１７５細胞における死細胞の数は処置前で５％、処置後は３７％であり、対照Ｈ１２９９（ｐ５３-）では処置前が３％、処置後が１１％、Ｓａｏｓ−２−Ｈｉｓ２７３細胞では処置前が３％、処置後が２８％、対照Ｓａｏｓ−２（ｐ５３-）では処置前が３％、処置後が１３％だった。
【０１６５】
この実験の結果から、ＣＤＢ３ペプチドが腫瘍細胞におけるアポトーシスをｐ５３依存的に誘導することは明らかである（図１０）。ｐ５３陽性細胞とｐ５３陰性細胞との間には相違がある。驚いたことに、成長停止は検出されなかった。
【０１６６】
【表２】
2005510460.tif 000004
【０１６７】
【表３】
2005510460.tif 000005
【０１６８】
【表４】
2005510460.tif 000006
【０１６９】
［参考文献］
【表５Ａ】
2005510460.tif 000007
【表５Ｂ】
2005510460.tif 000008
【０１７０】
上記明細書で言及した刊行物はすべて、参考として本明細書に組み込む。ここに記載した本発明の方法およびシステムのさまざまな変更および変形は、本発明の範囲と精神から逸脱しなくとも、当業者には明らかだろう。本発明を特定の好ましい実施形態について説明したが、本願に係る発明はそのような特定実施形態に不当に限定されるべきではないと理解すべきである。実際、ここに記載した実施形態のさまざまな変更態様であって、生化学および分子生物学または関連分野の当業者にとって自明なものは、本願特許請求の範囲に包含されるものとする。
【図面の簡単な説明】
【０１７１】
【図１】ｐ５３コアドメイン（青）−５３ＢＰ２（赤）複合体の結晶構造(座標はGorinaおよびPavletich,1996による)を表す図であり、本研究用に合成した３つの５３ＢＰ２由来ペプチド、すなわちＣＤＢ１（残基４２２〜４２８）−緑、ＣＤＢ２（残基４６９〜４７７）−黄、ＣＤＢ３（残基４９０〜４９８）−紫を、強調表示してある。図はｓｗｉｓｓＰＤＢビューア(GuexおよびPeitsch,1997)を使って作製したものである。
【図２】ＣＤＢ３の存在下（赤）および不在下（黒）でのｐ５３コアドメインの１Ｈ，１５Ｎ  ＨＳＱＣスペクトルを表す。ＣＤＢ３の存在下で有意な化学シフトの偏位を示す選択した残基を強調表示してある。
【図３】固定化したペプチドへのｐ５３コアドメインの結合を表面プラズモン共鳴によって解析した結果を表す。（ａ）ｐ５３コアドメイン結合ペプチドのスクリーニング。ビオチン化ペプチドをストレプトアビジンBIAcoreチップに固定化し、ｐ５３コアドメイン（７．２μＭ）を注入する。表示した値は、固定化ペプチドが存在しない状態でｐ５３をフローチャネルに注入したときの応答によって、標準化されている。（ｂ）固定化ＣＤＢ３へのｐ５３コアドメイン結合の濃度依存性。（ｃ）競合BIAcoreによるｐ５３コアドメインへのＣＤＢ３結合の滴定。０．２μＭ  ｐ５３コアドメインとさまざまな濃度の遊離ＣＤＢ３とをインキュベートした後にBIAcore測定を行うことによって、遊離ｐ５３コアドメインの濃度（固定化ＣＤＢ３に結合する際の会合速度に反映される）を解析する。
【図４】ＣＤＢ３に結合した時にｐ５３コアドメインに起こる化学シフト変化（＿∂）を表す。（ａ）1Ｈおよび15Ｎ化学シフトの偏位を残基番号に対してプロットした図。標準偏差の５倍を超える偏位（15Ｎの場合は＿∂＞０．２５ｐｐｍ、1Ｈの場合は＿∂＞０．０５ｐｐｍ）を有意であるとみなす（背景が白い部分）。＿∂が標準偏差の２．５倍〜５倍（15Ｎの場合は０．１２５＜＿∂＜０．２５ｐｐｍ、1Ｈの場合は０．０２５＜＿∂＜０．０５ｐｐｍ）である場合は軽微な差であるとみなし（背景が薄い灰色の部分）、＿∂が標準偏差の２．５倍未満（15Ｎの場合は＿∂＜０．１２５ｐｐｍ、1Ｈの場合は＿∂＜０．０２５ｐｐｍ）である場合は有意でないとみなす（背景が濃い灰色の部分）。（ｂ）ＣＤＢ３結合時のｐ５３コアドメイン構造における化学シフト変化。有意な化学シフト変化を起こす残基を青色で表し、軽微な変化を起こす残基を紫色で表し、変化のない残基を黄色で表す。５３ＢＰ２−ｐ５３複合体内で元々の位置にあるＣＤＢ３を赤色で示している(座標はGorinaおよびPavletich,1996による)。
【図５】ｐ５３コアドメインへのＣＤＢ３の結合を、異方性および蛍光によって解析した結果を表す。（ａ）野生型および突然変異型ｐ５３コアドメインでフルオレセイン標識ＣＤＢ３（４．６μＭ）を滴定する。異方性の変化をモニターし、解析する。（ｂ）非標識ＣＤＢ３またはビオチン化ＣＤＢ３で０．５０μＭフルオレセイン標識ＣＤＢ３および２．０μＭ野生型ｐ５３コアドメインを滴定する競合実験（「黒四角」および「白四角」はそれぞれ０．２６ｍＭおよび２．６ｍＭの非標識ＣＤＢ３、「黒丸」は０．２４ｍＭビオチン化ＣＤＢ３）。
【図６】ＦＬ−ＣＤＢ３によるｐ５３コアドメインの安定化を示す図。（ａ）示差走査熱量測定。野生型コアドメインおよびＲ２４９Ｓコアドメインの見かけのＴmを、「材料と方法」の項で説明するように、ＦＬ−ＣＤＢ３の存在下または不在下で決定する。野生型コアドメインの場合、ペプチドの不在下ではＴm＝４０．１℃であり、ペプチドの存在下では４１．６℃である。Ｒ２４９Ｓの場合、ペプチドの不在下ではＴm＝３４．９℃であり、ペプチドの存在下では３５．９℃である。生データを、わかりやすいようにオフセットして示している。（ｂ〜ｃ）ｐ５３−ＣＤＢ３結合の尿素依存性。一連の尿素濃度の存在下で、野生型ｐ５３コアドメインでフルオレセイン標識ＣＤＢ３を滴定し、異方性の変化をモニターする。（ｂ）さまざまな尿素濃度下での異方性滴定曲線。（ｃ）ｐ５３コアドメイン−ＣＤＢ３相互作用に関するｌｏｇ  Ｋdと尿素濃度との関係。（ｄ）ＣＤＢ３はｐ５３コアドメインのリフォールディングを誘導する。野生型ｐ５３コアドメインを３Ｍ尿素と共に終夜プレインキュベートした後、フルオレセイン標識ＣＤＢ３と混合し、異方性変化を経時的にモニターする。対照として、同じタンパク質を３Ｍ尿素およびフルオレセイン標識ＣＤＢ３と混合し、プレインキュベーションなしで、異方性変化を経時的にモニターする。
【図７】ｐ５３をレスキューするための「シャペロン」戦略を表す。（ａ）ＤＮＡはｐ５３コアドメイン結合に関してＦＬ−ＣＤＢ３と競合する。「材料と方法」の項で説明するように、３０マーのｇａｄｄ−４５  ＤＮＡ（＋＝２５μＭ、＿＝５μＭ）でｐ５３コアドメイン−ＦＬ−ＣＤＢ３の混合物を滴定した。（ｂ）ＣＤＢ３はＩ１９５Ｔ突然変異体へのＤＮＡ結合を回復させる。Ｉ１９５Ｔ（１０μＭ）を１００μＭ  ＣＤＢ３の存在下（黒四角）および不在下（ｘ）で１時間プレインキュベートし、それを使って、１５ｎＭフルオレセイン標識３０マーＧａｄｄ４５  ＤＮＡを滴定した。解離定数を１：１結合モデルへのフィッティングによって計算した。（ｃ）ここに提案するＣＤＢ３の作用機序に関する図解モデル。詳細については本文を参照されたい。
【図８】ペプチドで２４時間処置した後の細胞におけるＦＬ−ＣＤＢ３の分布。核は青色に見え（ヘキスト染色）、ペプチドは緑色である。上段左：ｐ５３  Ｒ１７５Ｈを含むＨ１２９９細胞。Ｆｌ−ＣＤＢ３は核に局在化し、大きな沈着が核小体にみとめられた。上段右：一部の例では細胞質への分布も観察された。中段：Lipofectamine 2000（商標）との混合送達後は、核画分も多少は存在したものの、ペプチドの位置は細胞質にあった。下段左右：親のｐ５３ヌルＨ１２９９細胞におけるペプチドの分布。ｐ５３ヌル細胞では、ペプチドはほとんど細胞質に局在するようであるが（Ｈ１２９９）、一部の細胞では核小体局在も明白である（Ｈ１２９９１−１）。ペプチドは少なくとも４８時間は見えていた。
【図９】Ｆｌ−ＣＤＢ３と共に２４時間インキュベートした後の、ウェスタンブロットによる、誘導されたタンパク質発現の検出。Ａ、ＣおよびＤ枠：ＦＬ−ＣＤＢ３で処置することにより、ｐ５３突然変異体Ｈｉｓ１７５およびＨｉｓ２７３は、内在性遺伝子ｐ２１およびＭｄｍ−２の転写を活性化する能力を回復した。Ｈｉｓ１７５  ｐ５３突然変異体をトランスフェクトした肺癌細胞Ｈ１２９９と、親の非トランスフェクト細胞とを、以下に示す量のペプチドで処置し、２４時間インキュベートし、ｐ５３、ｐ２１、およびＭｄｍ−２タンパク質の発現について調べた。アクチンのレベルからタンパク質負荷量は等しいことがわかる。特に、突然変異型ｐ５３のレベルは著しく増加していた。Ｂ：ＦＬ−ＣＤＢ３で処置することによって、大腸癌ＨＣＴ１１６細胞ではｗｔｐ５３が誘導され、Ｍｄｍ−２およびｐ２１の発現が活性化される。ＨＣＴｐ５３−／−細胞ではｐ５３発現の不在下でｐ２１の誘導もＭｄｍ−２の誘導も観察されなかった。Ａ枠とＢ枠では、レーン１はＦｌ−ＣＤＢ３なしの対照であり、レーン２は１０μｇ／ｍＬ  ＦＬ−ＣＤＢ３による処置の２４時間後である。Ｃ枠とＤ枠では、レーン１は対照（Ｆｌ−ＣＤＢ３なし）、レーン２は１０μｇ／ｍＬ  ＦＬ−ＣＤＢ３、そしてレーン３は１μｇ／ｍＬ  ＦＬ−ＣＤＢ３である。ペプチドによる処置は、LipofectamineありまたはLipofectamineなしで行った。この図に示すデータは全て、Ｃ枠とＤ枠を除いてすべて、Lipofectamineなしで行った処置後に得たデータである。Ｃ枠とＤ枠におけるｐ５３標的遺伝子の誘導はＦｌ−ＣＤＢ３の濃度に依存するようである。
【図１０】細胞周期に対するＦＬ−ＣＤＢ３の影響のＦＡＣＳ解析。我々は腫瘍細胞を１０μｇ／ｍＬのペプチドで処置し、処置の２４時間後にＦＡＣＳ解析法を使って、細胞周期分布および細胞死（サブＧ１画分として）を解析した。左右一対にしたグラフの左側は、それぞれＦｌ−ＣＤＢ３なしの対照である。ある実験では、死細胞のパーセンテージを、トリパンブルー排除法によって決定した。Ｈ１２９９−Ｈｉｓ１７５細胞における死細胞の数は処置前で５％、処置後は３７％であり、対照Ｈ１２９９（ｐ５３-）では処置前が３％、処置後が１１％、Ｓａｏｓ−２−Ｈｉｓ２７３細胞では処置前が３％、処置後が２８％、対照Ｓａｏｓ−２（ｐ５３-）では処置前が３％、処置後が１３％だった。
【図１】
2005510460.tif 000009
【図２】
2005510460.tif 000010
【図３】
2005510460.tif 000011
【図４ａ】
2005510460.tif 000012
【図４ｂ】
2005510460.tif 000013
【図５ａ】
2005510460.tif 000014
【図５ｂ】
2005510460.tif 000015
【図６ａ】
2005510460.tif 000016
【図６ｂ】
2005510460.tif 000017
【図６ｃ】
2005510460.tif 000018
【図６ｄ】
2005510460.tif 000019
【図７ａ】
2005510460.tif 000020
【図７ｂ】
2005510460.tif 000021
【図７ｃ】
2005510460.tif 000022
【図８】
2005510460.tif 000023
【図９】
2005510460.tif 000024
【図１０ａ】
2005510460.tif 000025
【図１０ｂ】
2005510460.tif 000026
【国際調査報告】
2005510460.tif 000027
2005510460.tif 000028
2005510460.tif 000029
2005510460.tif 000030
2005510460.tif 000031
2005510460.tif 000032